(57)【要約】  ターミナル・デバイス及びその操作方法を与える呼出処理補助サービスが開示される。そのデバイスは、ターミナル・デバイスの現在の状態を検出して、その検出された現在の状態に対応するイベント信号を提供するように構成されたターミナル・オペレータと、音声通話開始試行状態と音声通話終了状態とのうちの少なくとも一方がイベント信号を通じて検出されるとき、音声通話に対応する予め登録された付加的なコンテンツを提供するように構成されたサービス・プロバイダとを含む。従って、通話補助サービスは、通信サービス・プロバイダの介在を伴わずに都合良く提供することができる。  【参考図】  図１
2014533456.tif 000002
【特許請求の範囲】
【請求項１】
ターミナル・デバイスであり、
ターミナル・デバイスの現在の状態を検出して、検出された現在の状態に対応するイベント信号を提供するように構成されたターミナル・オペレータと、
音声通話開始試行状態と音声通話終了状態とのうちの少なくとも一方が前記イベント信号を通じて検出されるとき、音声通話に対応する予め登録された付加的なコンテンツを提供するように構成されたサービス・プロバイダとを備えるターミナル・デバイス。
【請求項２】
請求項１のターミナル・デバイスにおいて、前記音声通話開始試行状態と前記音声通話終了状態とのうちの少なくとも一方が前記イベント信号を通じて検出されるとき、前記サービス・プロバイダは、音声通話の発信者識別情報又は終端者識別情報に対応する予め登録された付加的なコンテンツを提供するターミナル・デバイス。
【請求項３】
請求項１のターミナル・デバイスにおいて、前記音声通話開始試行状態と前記音声通話終了状態とのうちの少なくとも一方が前記イベント信号を通じて検出されるとき、前記サービス・プロバイダは、作動状態を起動状態へ切り換えることにより、音声通話の発信者識別情報又は終端者識別情報に対応する予め登録された付加的なコンテンツを提供するターミナル・デバイス。
【請求項４】
請求項１のターミナル・デバイスにおいて、音声通話接続の後に、発信者による音声通話の音声通話開始試行状態又は音声通話の試行が検出された後に音声通話接続状態がイベント信号を通じて検出されたとき、前記サービス・プロバイダは、作動状態を非起動状態へ切り換えることにより、付加的なコンテンツの提供を停止するターミナル・デバイス。
【請求項５】
ターミナル・デバイスであり、
ターミナル・デバイスの現在の状態を検出して、検出された現在の状態に対応するイベント信号を提供するように構成されたターミナル・オペレータと、
音声通話終了試行状態と音声通話終了状態とのうちの少なくとも一方が前記イベント信号を通じて検出されるとき、音声通話に対応する予め登録された付加的なコンテンツを提供するように構成されたサービス・プロバイダとを備えるターミナル・デバイス。
【請求項６】
請求項５のターミナル・デバイスにおいて、前記音声通話終了試行状態と前記音声通話終了状態とのうちの少なくとも一方が前記イベント信号を通じて検出されるとき、前記サービス・プロバイダは、音声通話の発信者識別情報又は終端者識別情報に対応する予め登録された付加的なコンテンツを提供するターミナル・デバイス。
【請求項７】
請求項５のターミナル・デバイスにおいて、ショート・メッセージ・サービス（ＳＭＳ）受領状態が前記イベント信号を通じて検出されるとき、前記サービス・プロバイダは、前記ＳＭＳの発信者識別情報及び終端者識別情報に対応する予め登録された付加的なコンテンツを提供するターミナル・デバイス。
【請求項８】
請求項５のターミナル・デバイスにおいて、前記音声通話終了試行状態と前記音声通話終了状態とのうちの少なくとも一方に対応するイベント信号が受信されたとき、前記サービス・プロバイダは、作動状態を起動状態へ切り換えることにより、前記音声通話の発信者識別情報及び終端者識別情報に対応する予め登録された付加的なコンテンツを提供するターミナル・デバイス。
【請求項９】
請求項５のターミナル・デバイスにおいて、音声通話終了試行状態の後に、前記イベント信号を通じて音声通話接続状態が検出されたとき、前記サービス・プロバイダは、作動状態を非起動状態へ切り換えることにより、付加的なコンテンツの提供を停止するターミナル・デバイス。
【請求項１０】
ターミナル・デバイスの操作方法であって、
前記ターミナル・デバイスの現在の状態を検出し、この検出された現在の状態に対応するイベント信号を生成し、
音声通話開始試行状態と前記音声通話終了状態とのうちの少なくとも一方が前記イベント信号を通じて検出されるとき、音声通話に対応する予め登録された付加的なコンテンツを提供する方法。
【請求項１１】
請求項１０の操作方法において、予め登録された付加的なコンテンツの前記提供が、前記音声通話開始試行状態と前記音声通話終了状態とのうちの少なくとも一方が検出されるとき、音声通話の発信者識別情報又は終端者識別情報に対応する予め登録された付加的なコンテンツを提供する方法。
【請求項１２】
請求項１０の操作方法において、予め登録された付加的なコンテンツの前記提供が、前記音声通話開始試行状態と前記音声通話終了状態とのうちの少なくとも一方に対応するイベント信号が生成されるとき、作動状態を起動状態へ切り換えることにより、音声通話の発信者識別情報又は終端者識別情報に対応する予め登録された付加的なコンテンツを提供する方法。
【請求項１３】
請求項１０の操作方法において、音声通話接続の後、発信者による音声通話の音声通話開始試行状態又は音声通話の意図が検出された後に音声通話接続状態がイベント信号を通じて検出されたとき、作動状態を非起動状態へ切り換えることにより、付加的なコンテンツの提供を停止する方法。
【請求項１４】
ターミナル・デバイスの操作方法であって、
ターミナル・デバイスの現在の状態を検出して、この検出された現在の状態に対応するイベント信号を提供し、
前記イベント信号に対応する前記ターミナル・デバイスの前記現在の状態を特定し、
音声通話終了試行状態と音声通話終了状態とのうちの少なくとも一方が前記イベント信号を通じて検出されたとき、音声通話に対応する予め登録された付加的なコンテンツを提供する方法。
【請求項１５】
請求項１４の操作方法において、予め登録された付加的なコンテンツの前記提供が、前記音声通話終了試行状態と前記音声通話終了状態とのうちの少なくとも一方が前記イベント信号を通じて検出されるとき、音声通話の発信者識別情報及び終端者識別情報に対応する予め登録された付加的なコンテンツを提供する方法。
【請求項１６】
請求項１４の操作方法において、予め登録された付加的なコンテンツの前記提供が、ショート・メッセージ・サービス（ＳＭＳ）受領状態が前記イベント信号を通じて検出されたとき、前記ＳＭＳの発信者識別情報及び終端者識別情報に対応する予め登録された付加的なコンテンツを提供する方法。
【請求項１７】
請求項１４の操作方法において、予め登録された付加的なコンテンツの前記提供が、前記音声通話終了試行状態と前記音声通話終了状態とのうちの少なくとも一方に対応する前記イベント信号が生成されたとき、作動状態を起動状態へ切り換えることにより、音声通話の発信者識別情報又は終端者識別情報に対応する予め登録された付加的なコンテンツを提供する方法。
【請求項１８】
請求項１４の操作方法において、音声通話終了状態の後に、音声通話接続状態が前記イベント信号を通じて検出されたとき、作動状態を非起動状態へ切り換えることにより、付加的なコンテンツの提供を停止する方法。
【請求項１９】
コンピュータ可読記録媒体であって、
ターミナル・デバイスの現在の状態により生成されたイベント信号を検出し、
前記イベント信号を通じて音声通話開始試行状態と音声通話終了状態とのうちの少なくとも一方を特定し、
前記音声通話開始試行状態と前記音声通話終了状態とのうちの少なくとも一方の前記特定により、音声通話の発信者識別情報又は終端者識別情報に対応する予め登録された付加的なコンテンツを提供することを実行するように構成されたコマンドを含むコンピュータ可読記録媒体。
【請求項２０】
請求項１９の操作方法であって、音声通話接続の後に、発信者による音声通話の音声通話開始試行状態又は音声通話の試行が検出された後に音声通話接続状態が前記イベント信号を通じて検出されたとき、作動状態を非起動状態へ切り換えることにより、付加的なコンテンツの提供を停止することを実行するように構成されたコマンドを更に含むコンピュータ可読記録媒体。
【請求項２１】
コンピュータ可読記録媒体であって、
ターミナル・デバイスの現在の状態により生成されたイベント信号を検出し、
前記イベント信号を通じて音声通話終了試行状態と音声通話終了状態とのうちの少なくとも一方を特定し、
前記音声通話終了試行状態と前記音声通話終了状態とのうちの少なくとも一方の前記特定により、音声通話の発信者識別情報又は終端者識別情報に対応する予め登録された付加的なコンテンツを提供することを実行するように構成されたコマンドを含むコンピュータ可読記録媒体。
【請求項２２】
請求項２１の操作方法であって、音声通話終了試行状態の後に、音声発信接続状態が前記イベント信号を通じて検出されたとき、付加的なコンテンツの提供を停止することを実行するように構成されたコマンドを更に含むコンピュータ可読記録媒体。
【発明の詳細な説明】
【発明の背景】
【０００１】
１．発明の分野
本開示事項は呼び出し処理補助サービスを提供する方法に関し、更に詳しくは、呼び出し処理補助サービスを提供するターミナル・デバイス及びその操作方法であって、オペレーティング・システム（ＯＳ）による相互ネットワーキングを通じて呼び出し処理状態を含むターミナル・デバイスの現在の状態を検出し、ユーザーにより予め登録された付加的なコンテンツを検出された現在の状態に従って発信者／終端者へ提供する。
２．従来技術の説明
最近、通信技術の発展に起因して、様々な補助サービスの他に基本的な音声通話機能も求めるユーザーの要求は、従来の有線／無線呼び出しサービス分野で増大している。これに関連して、顧客のターミナルに関する情報はコミュニケーション・サービス・プロバイダを通じて確認することができ、無線インターネットを通じるコンテンツ提供サービスは、音声呼び出し接続が通信サービス・プロバイダ・ネットワークにより提供されたサービスを使用してなされるときに提供することができる。
【０００２】
しかしながら、この場合、対応する地域内の全ての通信サービス・プロバイダとの協力関係を構築して、全ての関連したシステムで相互に作用することが要求される。従って、そのようなビジネスを処理するには長い時間がかかり、幾つかのコミュニケーション・サービス・プロバイダがサービスの提供を望まないならば、幾つかのサービスは制限される。
【発明の概要】
【０００３】
本開示事項は、この問題を解決するためになされ、本開示事項の態様は、便利な呼び出し補助サービスを、オペレーティング・システム（ＯＳ）を有する相互ネットワーキングを通じての呼び出し処理状態及びユーザーにより予め登録された付加的なコンテントを、検出された現在の状態に従って発信者／終端者へ与えることを含むターミナル・デバイスの現在の状態を検出することにより、通信サービス・プロバイダの介在を伴わずに提供する。
【０００４】
本開示事項の第１の態様によれば、ターミナル・デバイスが提供される。このターミナル・デバイスは、ターミナル・デバイスの現在の状態を検出して、検出された現在の状態に対応するイベント信号を提供するように構成されたターミナル・オペレータと、音声通話開始試行状態と音声通話終了状態とのうちの少なくとも一方がイベント信号を通じて検出されたとき、音声通話に対応する予め登録された付加的なコンテンツを提供するように構成されたサービス・プロバイダとを含む。
【０００５】
音声通話開始試行状態と音声通話終了状態とのうちの少なくとも一方がイベント信号を通じて検出されたとき、サービス・プロバイダは音声通話の発信者識別情報または終端者識別情報に対応している予め登録された更なるコンテンツを提供し得る。
【０００６】
音声通話開始試行状態と音声通話終了状態の少なくとも一方がイベント信号を通じて検出されるとき、サービス・プロバイダは、音声呼び出しの発信者識別情報又は終端者識別情報に対応する予め登録されている付加的コンテンツを与えることを、作動状態を非起動状態へ切り換えることにより停止し得る。
【０００７】
本開示事項の第２態様によれば、ターミナル・デバイスが提供される。このターミナル・デバイスは、ターミナル・デバイスの現在の状態を検出して、この検出された現在の状態に対応するイベント信号を与えるように構成されたターミナル・オペレータと、音声通話終了試行状態と音声通信終了状態とのうちの少なくとも一方がイベント信号を通じて検出されたとき、音声通話に対応する予め登録された付加的なコンテンツを提供するように構成されたサービス・プロバイダとを含む。
【０００８】
音声通話終了試行状態と音声通信終了状態とのうちの少なくとも一方がイベント信号を通じて検出されたとき、サービス・プロバイダは、音声通話の発信者識別情報及び終端者識別情報に対応する予め登録された付加的なコンテンツを与える。
【０００９】
ショート・メッセージ・サービス（ＳＭＳ）受領状態がイベント信号を通じて検出されたとき、サービス・プロバイダは、ＳＭＳの発信者識別情報及び終端者識別情報に対応する予め登録された付加的なコンテンツを提供し得る。
【００１０】
声通話終了試行状態と音声通信終了状態とのうちの少なくとも一方に対応するイベント信号が受信されたとき、サービス・プロバイダは、音声通話の発信者識別情報及び終端者識別情報に対応する予め登録されたコンテンツを、作動状態を起動状態へ切り換えることにより提供し得る。
【００１１】
音声通話接続状態が、音声通話終了試行状態の後、イベント信号を通じて検出されたとき、サービス・プロバイダは、作動状態を非起動状態に切り換えることにより、付加的なコンテンツを与えることを停止し得る。
【００１２】
本開示事項の第３の態様によれば、ターミナル・デバイスの操作方法が提供される。この操作方法は、ターミナル・デバイスの現在の状態を検出し、この検出された現在の状態に対応するイベント信号を生成し、イベント信号に対応するターミナル・デバイスの現在の状態を特定し、音声通話開始試行状態と音声通話終了状態とのうちの少なくとも一方がイベント信号を通じて検出されたとき、音声通話に対応する予め登録された付加的コンテンツを与える。
【００１３】
予め登録された付加的なコンテンツを与えることは、音声通話開始試行状態と音声通話終了状態とのうちの少なくとも一方が検出されたときに、音声通話の発信者識別情報又は終端者識別情報の予め登録された付加的なコンテンツを提供することを含み得る。
【００１４】
予め登録された付加的なコンテンツの提供は、音声通話開始試行状態と音声通話終了状態とのうちの少なくとも一方に対応するイベント信号が生成されたときに、作動状態を起動状態へ切り換えることにより、音声通話の発信者識別情報又は終端者識別情報に対応する予め登録された付加的なコンテンツを提供することを含み得る。
【００１５】
この操作方法は更に、音声接続の後に、発信者による音声通話の音声通話開始試行状態又は音声通話終了状態が検出された後に、音声通話接続がイベント信号を通じて検出されたとき、作動状態を非起動状態へ切り換えることにより、付加的なコンテンツの提供を停止することを含み得る。
【００１６】
本開示事項の第４の態様によれば、ターミナル・デバイスの操作方法が提供される。この操作方法は、ターミナル・デバイスの現在の状態を検出して、この検出された現在の状態に対応するイベント信号を生成し、このイベント信号に対応するターミナル・デバイスの現在の状態を識別し、音声通話の音声通話開始試行状態及び音声通話終了状態とのうちの少なくとも一方がイベント信号を通じて検出されたとき、音声通話に対応する予め登録された付加的なコンテンツを提供することを含む。
【００１７】
予め登録された付加的なコンテンツの提供は、音声通話開始試行状態及び音声通話終了状態とのうちの少なくとも一方がイベント信号を通じて検出されたとき、音声通話の発信者識別情報及び終端者識別情報に対応する予め登録された付加的なコンテンツを提供することを含み得る。
【００１８】
予め登録された付加的なコンテンツの提供は、ショート・メッセージ・サービス（ＳＭＳ）受領状態がイベント信号を通じて検出されたとき、ＳＭＳの発信者識別情報及び終端者識別情報に対応する予め登録された付加的なコンテンツの提供を含み得る。
【００１９】
予め登録された付加的なコンテンツの提供は、音声通話終了試行状態と音声終了状態との少なくとも一方に対応するイベント信号が生成されたときに、音声通話の発信者識別情報及び終端者識別情報に対応する予め登録された付加的なコンテンツを、作動状態を起動状態へ切り換えることにより提供することを含み得る。
【００２０】
この操作方法は更に、音声通話終了試行状態の後に、音声通話接続状態がイベント信号を通じて検出されたときに、作動状態を非起動状態へ切り換えることにより、付加的なコンテンツの提供を停止することを含み得る。
【００２１】
本開示事項の第５の態様によれば、コマンドを含むコンピュータ可読記録媒体が提供される。そのコマンドは、ターミナル・デバイスの現在の状態により生成されたイベント信号を検出し、音声通話開始試行状態と音声通話終了状態とのうちの少なくとも一方をイベント信号を通じて識別し、及び音声通話開始試行状態と音声通話終了状態とのうちの少なくとも一方の識別により音声通話の発信者識別情報又は終端者識別情報に対応する予め登録された付加的なコンテンツを提供することを実行する。
【００２２】
コンピュータ可読記録媒体は更に、音声通話接続の後、発信者による音声通話の音声通話開始試行状態又は音声通話の試行が検出された後に、  音声通話接続状態がイベント信号を通じて検出されたときに、作動状態を非起動状態へ切り換えることにより、付加的コンテンツの提供を停止させるように構成されたコマンドを含み得る。
【００２３】
本開示事項の第５の態様によれば、コマンドを含むコンピュータ可読記録媒体が提供される。このコマンドは、ターミナル・デバイスの現在の状態により生成されたイベント信号を検出し、音声通話開始試行状態と音声通話終了状態とのうちの少なくとも一方をイベント信号を通じて検出し、音声通話開始試行状態と音声通話終了状態とのうちの少なくとも一方の識別に応じて音声通話の発信者識別情報又は終端者識別情報に対応する予め登録された付加的コンテンツを提供することを実行する。
【００２４】
コンピュータ可読記録媒体は更に、音声通話接続の後、発信者による音声通話開始試行又は音声通話の試行の後に、音声通話接続状態がイベント信号を通じて接続されたときに、作動状態を非起動状態へ切り換えることにより付加的なコンテンツの提供を停止させることを実行するように構成されたコマンドを更に含み得る。
【００２５】
本開示事項の第１の態様によれば、コマンドを含むコンピュータ可読記録媒体が提供される。そのコマンドは、ターミナル・デバイスの現在の状態に応じて生成されたイベント信号を検出し、そのイベント信号を通じて音声通話開始試行状態と音声通話終了状態とのうちの少なくとも一方を識別し、音声通話開始試行状態と音声通話終了状態とのうちの少なくとも一方の識別に応じて音声通話の発信者識別情報又は終端者識別情報に対応する予め登録された付加的コンテンツを提供することを実行する。
【００２６】
コンピュータ可読記録媒体は更に、音声通話終了試行状態の後に、音声接続状態がイベント信号を通じて検出されたとき、付加的なコンテンツの提供を停止することを実行するように構成されたコマンドを含み得る。
【００２７】
本開示事項による呼び出し処理補助サービスを与えるターミナル・デバイスに基づいて、呼び出し処理状態を含むターミナル・デバイスの現在の状態は、オペレーティング・システム（ＯＳ）を有するインターワーキングを通じて検出されて、ユーザーにより予め登録された付加的なコンテンツは、検出された現在の状態により発信者／終端者へ提供される。その結果、呼び出し補助サービスは、コミュニケーション・サービス・プロバイダの介在を伴わずに、都合良く提供することができる。
【図面の簡単な説明】
【００２８】
本開示事項の上述及び他の目的、特徴、及び利点は、添付の図面と共になされる以下の詳細な説明から、より明らかになろう。
【図１】図１は、本開示事項の実施形態によりシステムを提供する呼び出し処理補助サービスの構成を概略的に例示する。
【図２】図２は、本開示事項の実施形態によりターミナル・デバイスの構成を概略的に例示する。
【図３】図３は、本開示事項の第１の実施形態による呼び出し処理補助サービス提供システムの操作方法を例示するフローチャートである。
【図４】図４は本開示事項の第２の実施形態による呼び出し処理補助サービス提供システムの操作方法を例示するフローチャートである。
【図５】図５は本開示事項の第３の実施形態による呼び出し処理補助サービス提供システムの操作方法を例示するフローチャートである。
【図６】図６は本開示事項の第４の実施形態による呼び出し処理補助サービス提供システムの操作方法を例示するフローチャートである。
【図７】図７は本開示事項の第１の実施形態によるターミナル・デバイスの操作方法を例示するフローチャートである。
【図８】図８は本開示事項の第２の実施形態によるターミナル・デバイスの操作方法を例示するフローチャートである。
【図９】図９は本開示事項の第３の実施形態によるターミナル・デバイスの操作方法を例示するフローチャートである。
【図１０】図１０は本開示事項の第４の実施形態によるターミナル・デバイスの操作方法を例示するフローチャートである。
【例示的実施形態の詳細な説明】
【００２９】
以下、本開示事項の例示的な実施形態について添付図面を参照して説明する。
【００３０】
図１は、本開示事項の実施形態による呼び出し処理補助サービス提供システムの構成を概略的に例示する。
【００３１】
図１に図示されるように、システムは、付加的コンテンツを提供するためにインストールされたアプリケーションの作動を通じて呼び出し処理手順に対応する付加的コンテンツを提供するターミナル・デバイス１００と、サービス・サーバ２００、これは加入者、即ち、新たなコンテンツを登録する付加的コンテンツを提供するためにダウンロードされてインストールされたアプリケーションを有する発信者又は終端者ターミナル・デバイス３００が、ターミナル・デバイス１００を更新することにより、登録された新たなコンテンツを送信し、付加的なコンテンツをターミナル・デバイス１００の要請により直接に提供するか、或いは、他のコンテンツ・サーバー（図示せず）を有する相互作用を通じて付加的なコンテンツを提供し、発信者／終端者ターミナル・デバイス３００が、ターミナル・デバイス１００によりショート・テキスト・メッセージ及び音声通話を含む呼び出し処理を実行する。ターミナル・デバイス１００はスマートフォンを指し、これはターミナル・デバイスを作動させるためのプラットホームを備えており、これは例えばｉＰｈｏｎｅ  ＯＳ（ｉＯＳ）、アンドロイド、Ｗｉｎｄｏｗ  Ｍｏｂｉｌｅその他であり、音声通話の間に対応するプラットホームに基づいて無線インターネットにアクセスすることができる。
【００３２】
以下、本開示事項の第１の実施形態による音声通話発信操作に対応する構造的特徴について図１の構成を参照して説明する。
【００３３】
ターミナル・デバイス１００は、サービス・サーバ２００から終端ターミナル・デバイス３００により新たに登録された更なるコンテンツを受信する。
【００３４】
更に詳しくは、ターミナル・デバイス１００は、付加的コンテンツを提供するためにインストールされたアプリケーションを更新する処理において、サービス・サーバ２００から終端ターミナル・デバイス３００によって新たに登録された付加的なコンテンツを受信する。
【００３５】
更に、ターミナル・デバイス１００は、終端者識別情報に対応する付加的なコンテンツを登録する。
【００３６】
更に詳しくは、ターミナル・デバイス１００は終端ターミナル・デバイス３００の電話番号に対応する付加的なコンテンツ、例えば、画像情報、画像、テキストなどを、インストールされたアプリケーションへ送信し、付加的なコンテンツを登録する。
【００３７】
このとき、付加的なコンテンツを登録する際に、付加的なコンテンツが提供されるとき、ターミナル・デバイス１００は付加的なコンテンツの初期コンテンツ又は登録アクセス情報（例えば、ＵＲＬ）を登録して、付加的なコンテンツが提供されたときに、登録されたアクセス情報に基づいて、対応するコンテンツへアクセスし得る。
【００３８】
上述の説明に基づいて、ターミナル・デバイス１００は現在の状態を検出して、検出された現在の状態に対応するイベント信号を生成する。
【００３９】
更に詳しくは、ターミナル・デバイス１００は、オペレーティング・システム（ＯＳ）を通じて現在の状態を監視し、音声通話開始試行状態を検出して、検出された音声通話開始試行状態に対応するイベント信号を生成し、この対応するイベント信号を、プラットホームを通じて付加的なコンテンツを提供するためにインストールされたアプリケーションへ送信する。これに関連して、ＯＳは、検出された音声通話開始試行状態によってユーザーによりプラットホームへ入力された終端番号を含むイベント信号を送信し、プラットホームへ送信されたイベント信号はアプリケーションが起動しているか否かによって、異なって送信される。換言すれば、アプリケーションが起動（駆動）状態にあるとき、アプリケーションは、プラットホームの連続監視を通じてＯＳから送信されたイベント信号を単独で獲得する。対照的に、アプリケーションが非起動（非駆動）状態にあるとき、プラットホームはイベント信号をＯＳからアプリケーションへ送信し、アプリケーションの状態を起動状態へ切り換えて、アプリケーションに音声通話開始試行状態を認識するようにさせる。
【００４０】
更に、音声通話開始試行状態がイベント信号を通じて特定されるとき、ターミナル・デバイス１００は音声通話に対応する予め登録された付加的なコンテンツを提供する。
【００４１】
更に詳しくは、インストールされたアプリケーションを通じて音声通話開始試行状態が特定されたとき、ターミナル・デバイス１００はイベント信号に含まれた終了番号のサービスがサービス登録状態を特定するように登録されているか否かについて尋ね、対応する終端加入者に対応する登録された付加的なコンテンツについて尋ね、対応するコンテンツをディスプレイ・デバイスに表示する。
これに関連して、終端加入者に対応するコンテンツが登録されるとき、ターミナル・デバイス１００は対応するコンテンツを抽出して、抽出したコンテンツを提供する。対応するコンテンツのアクセス情報のみが登録されるとき、ターミナル・デバイス１００は対応するアクセス情報に基づくコンテンツを獲得して、獲得したコンテンツを提供する。一方、ターミナル・デバイス１００が、ユーザーから提供された付加的なコンテンツへマップされた付加的なコンテンツについての要請を受けるとき、ターミナル・デバイス１００はサービス・サーバ２００から対応するコンテンツを獲得して、この獲得したコンテンツをユーザーへ提供し得る。
【００４２】
一方、音声通話接続状態が検出され、あるいは、発信者が音声通話接続の後に音声通話を試みるとき、ターミナル・デバイス１００は付加的なコンテンツの提供を止める。
【００４３】
更に詳しくは、音声通話開始試行状態の後にイベント信号を通じて音声通話接続が検出されたとき、あるいは、音声通話接続の後に発信者の音声通話試行がなされたものと判定されると、ターミナル・デバイス１００は付加的なコンテンツの提供を停止する。これに関連して、例えば、発信者がターミナル・デバイスを発信者の耳へあてる状態が、設置された近接センサーによって検出されるか、又は発信者の音声入力が検出されたとき、ＯＳが、検出に対応するイベント信号を生成し、アプリケーションに発信者の音声通話試行、即ちユーザーの呼び出し意図を検出させることを可能とする。ユーザーの呼び出し意図の検出に応じて、アプリケーションは作動状態を非起動状態へ切り換えて、付加的なコンテンツを提供することを停止して、ディスプレイ・デバイスに表示された付加的なコンテンツに代えて呼び出し処理に関連してＯＳ自体により設けられた呼び出しスクリーン（キーパッド、スピーカー、及びミュート機能などの付加的な機能の使用を与えるスクリーン）に表示させ、ユーザーはＯＳにより与えられた呼び出しに関連した機能、例えば、ボタン入力、メモ、スピーカーフォン機能等を使用することができる。
【００４４】
以下、本開示事項の第２の実施形態による音声通話終了操作に対応する構造的特徴は図１の構成に関して説明される。
【００４５】
ターミナル・デバイス１００は、サービス・サーバ２００から発信ターミナル・デバイス３００により新たに登録された付加的なコンテンツを受信する。
【００４６】
更に詳しくは、ターミナル・デバイス１００は、付加的なコンテンツを提供するようにインストールされたアプリケーションを更新する処理の間に、サービス・サーバ２００から発信ターミナル・デバイス３００により新たに登録される付加的なコンテンツを受信する。
【００４７】
更に、ターミナル・デバイス１００は、終端者の識別情報に対応する付加的なコンテンツを登録する。
【００４８】
更に詳しくは、ターミナル・デバイス１００は、発信ターミナル・デバイス３００の電話番号に対応する付加的なコンテンツ、例えば、画像情報、画像、テキスト等を、インストールされたアプリケーションへ送信して、付加的なコンテンツを登録する。このときに、付加的なコンテンツを登録する際に、ターミナル・デバイス１００は初期コンテンツを登録し得るか、付加的なコンテンツのアクセス情報（例えば、ＵＲＬ）を登録し得るので、付加的なコンテンツが提供されたときに登録されたアクセス情報に基づいて、対応するコンテンツへアクセスする。
【００４９】
上述の説明に基づいて、ターミナル・デバイス１００は現在の状態を検出して、検出された現在の状態に対応するイベント信号を生成する。更に詳しくは、ターミナル・デバイス１００は、オペレーティング・システム（ＯＳ）を通じて現在の状態を監視して、音声通話終了試行状態を検出して、この検出された音声通話終了試行状態に対応するイベント信号を生成し、この対応するイベント信号を、インストールされたアプリケーションへ送信し、プラットホームを通じて付加的なコンテンツを提供する。これに関連して、ＯＳは、検出された音声通話終了試行状態によりプラットホームへ発信番号を含むイベント信号を送信し、プラットホームへ送信されたイベント信号はアプリケーションが起動しているか否かにより異なって送信される。換言すれば、アプリケーションが起動（駆動）状態にあるとき、アプリケーションは単独で、プラットホームの連続監視を通じてＯＳから送信されたイベント信号を獲得する。対照的に、アプリケーションが非起動（非駆動）状態にあるとき、プラットホームは、ＯＳから送信されたイベント信号をアプリケーションへ送信し、アプリケーションの状態を起動状態へ切り換えて、アプリケーションが音声通話終了試行状態を認識するようにさせる。
【００５０】
更に、音声通話終了試行状態がイベント信号を通じて検出されたとき、ターミナル・デバイス１００は音声通話に対応する予め登録された付加的なコンテンツを提供する。
【００５１】
更に詳しくは、音声通話終了試行状態が、インストールされたアプリケーションにより検出されたとき、ターミナル・デバイス１００はイベント信号に含まれている発信番号のサービスがサービス登録状態を特定するように登録されているか否かについて尋ねて、対応する開始加入者に対応する登録された付加的なコンテンツについて尋ねて、対応するコンテンツをディスプレイ・デバイスに表示する。これに関連して、開始加入者に対応するコンテンツが登録されるとき、ターミナル・デバイス１００は対応するコンテンツを抽出して、この抽出されたコンテンツを提供する。対応するコンテンツのアクセス情報だけが登録されるとき、ターミナル・デバイス１００は対応するアクセス情報に基づくコンテンツを獲得して、この獲得したコンテンツを提供する。一方、ターミナル・デバイス１００が、ユーザーから提供された付加的なコンテンツにマップされた付加的なコンテンツについての要請を受信するとき、ターミナル・デバイス１００はサービス・サーバ２００から対応するコンテンツを獲得して、この獲得したコンテンツをユーザーへ提供し得る。
【００５２】
一方、音声通話接続状態が検出されたとき、ターミナル・デバイス１００は付加的なコンテンツを提供することを停止する。
【００５３】
更に詳しくは、音声通話接続状態が音声通話終了試行状態の後にイベント信号を通じて検出されたとき、ターミナル・デバイス１００は付加的なコンテンツを提供することを停止する。これに関連して、ユーザーの呼び出し接続ボタン入力が音声通話終了に応じて検出されるとき、ＯＳは、対応する状態に対応するイベント信号を生成して、アプリケーションに音声通話接続状態を検出するようにさせる。音声通話接続状態の検出に応じて、アプリケーションは、作動状態を非起動状態へ切り換えて、付加的なコンテンツを提供することを停止して、ディスプレイ・デバイスに表示された付加的なコンテンツに代えて呼び出し処理に関連してＯＳにより与えられた呼び出しスクリーン（キーパッド、スピーカー及びミュート機能などの付加的な機能の使用を提供するスクリーン）に表示し、ユーザーは、ＯＳにより提供された呼び出し関連機能、例えば、ボタン入力、メモ、スピーカーフォン機能等を使用することができる。
【００５４】
以下、本開示事項の第３の実施形態による音声通話終了操作に対応する構造的特徴を図１の構成を参照して説明する。
【００５５】
ターミナル・デバイス１００は、サービス・サーバ２００から発信／終端ターミナル・デバイス３００により新たに登録された付加的なコンテンツを受信する。
【００５６】
更に詳しくは、ターミナル・デバイス１００は、呼び出し接続相手方、即ち、付加的なコンテンツを提供するためにインストールされたアプリケーションを更新する処理におけるサービス・サーバ２００から発信／終了ターミナル・デバイス３００によって新たに登録された付加的なコンテンツを受信する。
【００５７】
更に、ターミナル・デバイス１００は、発信者/終端者識別情報に対応する付加的なコンテンツを登録する。
【００５８】
更に詳しくは、ターミナル・デバイス１００は、発信／終端ターミナル・デバイス３００の電話番号に対応する付加的なコンテンツ、例えば、画像情報、画像、テキスト等を、インストールされたアプリケーションへ送信して、付加的なコンテンツを登録する。このときに、ターミナル・デバイス１００は、付加的なコンテンツの初期コンテンツ又は登録アクセス情報（例えば、ＵＲＬ）を登録し得るので、付加的なコンテンツが提供されたときに、登録されたアクセス情報に基づいて、対応するコンテンツへアクセスする。
【００５９】
上述の説明に基づいて、ターミナル・デバイス１００は現在の状態を検出して、この検出された現在の状態に対応するイベント信号を生成する。
【００６０】
更に詳しくは、ターミナル・デバイス１００は、オペレーティング・システム（ＯＳ）を通じて現在の状態を監視し、音声通話接続状態から音声通話終了状態への切り換えを検出して、検出された音声通話終了状態に対応するイベント信号を生成し、この対応するイベント信号を、インストールされたアプリケーションへ送信して、プラットホームを通じて付加的なコンテンツを提供する。
【００６１】
これに関連して、ＯＳは、相手方番号を含むイベント信号を、検出された音声通話終端状態によってプラットホームへ送信し、このプラットホームへ送信されたイベント信号はアプリケーションが起動しているか否かにより異なって送信される。換言すれば、アプリケーションが起動（駆動）状態にあるとき、アプリケーションは単独で、プラットホームの連続的監視を通じてＯＳから送信されたイベント信号を獲得する。対照的に、アプリケーションが非起動（非駆動）状態にあるとき、プラットホームは、ＯＳから送信されたイベント信号をアプリケーションへ送信し、アプリケーションの状態を起動状態へ切り換えて、アプリケーションに音声通話終了状態を認識させるようにする。
【００６２】
更に、音声通話終了状態がイベント信号を通じて検出されるとき、ターミナル・デバイス１００は音声通話に対応して予め登録された付加的なコンテンツを提供する。
【００６３】
更に詳しくは、音声通話終端状態が、インストールされたアプリケーションにより検出されたとき、ターミナル・デバイス１００は、イベント信号に含まれる相手方番号のサービスがサービス登録状態を特定するように登録されているか否かを尋ねて、対応するコンテンツをディスプレイ・デバイスに表示するために対応する加入者に対応する登録された付加的なコンテンツについて尋ねる。これに関連して、相手方加入者に対応するコンテンツが登録されるとき、ターミナル・デバイス１００は対応するコンテンツを抽出して、この抽出されたコンテンツを提供する。対応するコンテンツのアクセス情報のみが登録されるとき、ターミナル・デバイス１００は対応するアクセス情報に基づくコンテンツを獲得して、この獲得したコンテンツを提供する。一方、ターミナル・デバイス１００が、ユーザーから提供された付加的なコンテンツにマップされた付加的なコンテンツについての要請を受けるとき、ターミナル・デバイス１００はサービス・サーバ２００から対応するコンテンツを獲得して、この獲得したコンテンツをユーザーに提供し得る。
【００６４】
以下、本開示事項の第４の実施形態によりショート・テキスト・メッセージ受信操作に対応する構造的特徴について、図１の構成を参照して説明する。
【００６５】
ターミナル・デバイス１００は、サービス・サーバ２００から発信ターミナル・デバイス３００により新たに登録された付加的なコンテンツを受信する。
【００６６】
更に詳しくは、ターミナル・デバイス１００は、付加的なコンテンツを提供するためにインストールされたアプリケーションを更新する処理においてサービス・サーバ２００から発信ターミナル・デバイス３００により新たに登録された付加的なコンテンツを受信する。
【００６７】
更に、ターミナル・デバイス１００は、発信者識別情報に対応する付加的なコンテンツを登録する。
【００６８】
更に詳しくは、ターミナル・デバイス１００は、発信ターミナル・デバイス３００の電話番号に対応する付加的なコンテンツ、例えば画像情報、画像、テキスト等を、インストールされたアプリケーションへ送信して、付加的なコンテンツを登録する。このときに、付加的なコンテンツを登録する際に、付加的なコンテンツが提供されるとき、ターミナル・デバイス１００は付加的なコンテンツの初期コンテンツ又は登録アクセス情報（例えば、ＵＲＬ）を登録して、このように、登録されたアクセス情報に基づいて対応するコンテンツへアクセスし得る。
【００６９】
上述の説明に基づいて、ターミナル・デバイス１００は現在の状態を検出して、検出された現在の状態に対応するイベント信号を生成する。
【００７０】
更に詳しくは、ターミナル・デバイス１００は、オペレーティング・システム（ＯＳ）を通じて現在の状態を監視して、ショート・メッセージ・サービス（ＳＭＳ）受領状態を検出し、この検出されたＳＭＳ受領状態に対応するイベント信号を生成し、対応するイベント信号を、プラットホームを通じて付加的なコンテンツを提供するためにインストールされたアプリケーションへ送信する。これに関連して、ＯＳは検出されたＳＭＳ受領状態によってプラットホームへ発信番号を含むイベント信号を送信し、プラットホームへ送信されたイベント信号はアプリケーションが起動しているか否かにより異なって送信される。換言すれば、アプリケーションが起動（駆動）状態にあるとき、アプリケーションは単独で、プラットホームの連続監視を通じてＯＳから送信されたイベント信号を獲得する。対照的に、アプリケーションが非起動（非駆動）状態にあるとき、プラットホームは、ＯＳからアプリケーションへ送信されたイベント信号を送信し、アプリケーションの状態を起動状態へ切り換えて、アプリケーションにＳＭＳ受領状態を認識させるようにする。
【００７１】
更に、ＳＭＳ受領状態がイベント信号を通じて検出されるとき、ターミナル・デバイス１００は予め登録された付加的なコンテンツを提供する。
【００７２】
更に詳しくは、ＳＭＳ受付状態がインストールされたアプリケーションで検出されるとき、ターミナル・デバイス１００はイベント信号に含まれる発信番号のサービスがサービス登録状態を特定するように登録されているか否かについて尋ね、対応する開始加入者に対応する登録された付加的なコンテンツについて尋ねて、対応するコンテンツをディスプレイ・デバイスに表示する。これに関連して、発信加入者に対応するコンテンツが登録されるとき、ターミナル・デバイス１００は対応するコンテンツを抽出して、この抽出されたコンテンツを提供する。対応するコンテンツのアクセス情報のみが登録されるとき、ターミナル・デバイス１００は対応するアクセス情報に基づくコンテンツを獲得して、この獲得したコンテンツを提供する。一方、ターミナル・デバイス１００が、ユーザーから提供された付加的なコンテンツにマップされた付加的なコンテンツについての要請を受けるとき、ターミナル・デバイス１００はサービス・サーバ２００から対応するコンテンツを獲得して、この獲得したコンテンツをユーザーに提供し得る。
【００７３】
以下、本開示事項の実施形態によるターミナル・デバイス１００の更に詳細な構成について図２を参照して説明する。
【００７４】
即ち、ターミナル・デバイス１００は、現在の状態を検出して、この検出された現在の状態に対応するイベント信号を提供するターミナル・オペレータ１１０と、イベント信号を通じて呼び出し処理状態を特定し、この特定された呼び出し処理状態により予め登録された付加的な制御を提供するサービス・プロバイダ１２０とを含む。ターミナル・オペレータ１１０は、ターミナル・デバイス１００にインストールされたオペレーティングシステム（ＯＳ）を指し、サービス・プロバイダ１２０はアプリケーションを指す。サービス・プロバイダ１２０はＯＳによって支持されたプラットホームに基づいてインストールされており、呼び出し処理に関連した付加的なコンテンツを与える。
【００７５】
以下、本開示事項の第１の実施形態による音声呼び出し初期操作に対応するターミナル・デバイス１００の構造的特徴について、図２の構成を参照して説明する
サービス・プロバイダ１２０はターミネータ識別情報に対応する付加的なコンテンツを登録する。
【００７６】
更に詳しくは、サービス・プロバイダ１２０は、終端ターミナル・デバイス３００の電話番号に対応する付加的なコンテンツ、例えば、画像情報、画像、テキスト等を登録する。このとき、付加的なコンテンツを登録する際に、サービス・プロバイダ１２０は付加的なコンテンツの初期コンテンツ付加的なコンテンツが提供されるとき、付加的なコンテンツの元のコンテンツ又は登録アクセス情報（例えば、ＵＲＬ）を登録し、このように付加的なコンテンツが提供されるときに、登録されたアクセス情報に基づいて対応するコンテンツにアクセスし得る。
【００７７】
ターミナル・オペレータはターミナル・デバイス１００の現在の状態を検出して、検出された現在の状態に対応するイベント信号を生成する。
【００７８】
更に詳しくは、ターミナル・オペレータ１１０は、ターミナル・デバイス１００の現在の状態を監視して、音声通話開始試行状態を検出し、検出された音声通話開始試行状態に対応するイベント信号を生成し、プラットホームを通じてサービス・プロバイダ１２０に対応するイベント信号を送信する。これに関連して、ターミナル・オペレータ１１０は、検出された音声通話開始試行状態によりユーザーによる終了番号入力を含むイベント信号をプラットホームへ送信し、このプラットホームへ送信されたイベント信号は、サービス・プロバイダ１２０が起動しているか否かにより異なって送信される。換言すれば、サービス・プロバイダ１２０が起動（駆動）状態にあるとき、サービス・プロバイダ１２０は単独で、プラットホームの連続監視を通じてＯＳから送信されたイベント信号を獲得する。対照的に、サービス・プロバイダ１２０が非起動（非駆動）状態にあるとき、プラットホームは、ＯＳからサービス・プロバイダ１２０へ送信されたイベント信号を送信し、サービス・プロバイダ１２０の状態を起動状態へ切り換えて、サービス・プロバイダ１２０に音声通話開始試行状態を認識させるようにする。
【００７９】
更に、音声通話開始試行状態がイベント信号を通じて検出されるとき、サービス・プロバイダ１２０は音声通話に対応する予め登録された付加的なコンテンツを提供する。
【００８０】
更に詳しくは、音声通話開始試行状態が、インストールされたアプリケーションにより検出されるとき、サービス・プロバイダ１２０は、イベント信号に含まれた終了番号のサービスがサービス登録状態を特定するように登録されているか否かについて尋ね、対応する末端加入者に対応する登録された付加的なコンテンツについて尋ねて、対応するコンテンツをディスプレイ・デバイスに表示する。これに関連して、末端加入者に対応するコンテンツが登録されるとき、サービス・プロバイダ１２０は対応するコンテンツを抽出して、この抽出されたコンテンツを提供する。対応するコンテンツのアクセス情報のみが登録されるとき、サービス・プロバイダ１２０は対応するアクセス情報に基づくコンテンツを得て、獲得したコンテンツを提供する。一方、サービス・プロバイダ１２０がユーザーから提供された付加的なコンテンツにマップされた付加的なコンテンツについての要請を受信するとき、サービス・プロバイダ１２０はサービス・サーバ２００から対応するコンテンツを獲得して、この獲得したコンテンツをユーザーに提供し得る。
【００８１】
一方、音声通話接続状態が検出されるか又は発信者が音声通話接続の後に音声通話を試みるとき、サービス・プロバイダ１２０は付加的なコンテンツの提供を停止する。
【００８２】
更に詳しくは、音声通話接続状態が、音声通話開始試行状態又は発信者の音声通話試行が音声接続の後になされたものと判定された後に、イベント信号を通じて検出されるとき、サービス・プロバイダ１２０は付加的なコンテンツを提供するのを止める。これに関連して、例えば、発信者がターミナル・デバイスを発信者の耳に保持する状態が、設置された近接センサを通じて検出されるか、あるいは、発信者の音声入力が検出されたとき、ターミナル・オペレータが検出に対応するイベント信号を生成し、サービス・プロバイダ１２０に発信者の音声通話試行、即ち、ユーザーの呼び出し意図を検出するようにさせる。ユーザーの呼び出し意図の検出に応じて、サービス・プロバイダ１２０は作動状態を非起動状態へ切り換えて、付加的なコンテンツの提供を停止し、サービス・プロバイダ１２０は作動状態を非起動状態へ切り換えて、付加的なコンテンツの提供を停止し、ディスプレイ・デバイスに表示された付加的なコンテンツに代わる呼び出し処理に関連してターミナル・デバイス１１０は単独で提供した呼び出しスクリーン（付加的な機能、例えばキーパッド、スピーカー、及びミュート機能の使用を与えるスクリーン）を表示して、ユーザーは、ターミナル・オペレータ１１０により提供された呼び出しに関連した機能、例えば、ボタン入力、メモ、スピーカーフォン機能等を使用することができる。
【００８３】
以下、本開示事項の第２の実施形態により音声通話終了操作に対応するターミナル・デバイス１００の構造的特性について、図２の構成を参照して説明する。
【００８４】
サービス・プロバイダ１２０は、発信者識別情報に対応する付加的なコンテンツを登録する。
【００８５】
更に詳しくは、サービス・プロバイダ１２０は、発信ターミナル・デバイス３００の電話番号に対応する付加的なコンテンツ、例えば、画像情報、画像、テキスト等を登録する。このときに、付加的なコンテンツを登録する際に、サービス・プロバイダ１２０は付加的なコンテンツの初期コンテンツ又は登録アクセス情報（例えば、ＵＲＬ）を登録して、このように、付加的なコンテンツが提供されたときに、登録されるアクセス情報に基づいて対応するコンテンツにアクセスし得る。
【００８６】
ターミナル・オペレータ１１０はターミナル・デバイス１００の現在の状態を検出して、検出された現在の状態に対応するイベント信号を生成する。
【００８７】
更に詳しくは、ターミナル・オペレータ１１０は、ターミナル・デバイス１００の現在の状態を監視して、音声通話終了試行状態を検出し、検出された音声通話終了試行状態に対応するイベント信号を生成し、プラットホームを通じて、対応するイベント信号をサービス・プロバイダ１２０へ送信する。これに関連して、ターミナル・オペレータ１１０は、ユーザーによる発信番号入力を含むイベント信号を、検出された音声通話終了試行状態によりプラットホームへ送信し、プラットホームへ送信されたイベント信号は、サービス・プロバイダ１２０が起動しているか否かにより異なって送信される。換言すれば、サービス・プロバイダ１２０が起動（駆動）状態にあるとき、サービス・プロバイダ１２０単独で、プラットホームの連続監視を通じて、ＯＳから送信されたイベント信号を獲得する。対照的に、サービス・プロバイダ１２０が非起動（非駆動）状態にあるとき、プラットホームは、ターミナル・オペレータ１１０からサービス・プロバイダ１２０へ送信されたイベント信号を送信し、サービス・プロバイダ１２０の状態を起動状態へ切り換えて、サービス・プロバイダ１２０に音声通話終了試行状態を認識させることを可能にする。
【００８８】
更に、音声通話終了試行状態がイベント信号を通じて検出されたとき、サービス・プロバイダ１２０は音声通話に対応する予め登録された付加的なコンテンツを提供する。
【００８９】
更に詳しくは、音声通話終了試行状態が、インストールされたアプリケーションにより検出されるとき、サービス・プロバイダ１２０は、イベント信号に含まれる発信番号のサービスがサービス登録状態を特定するように登録されているか否かについて尋ねて、対応する開始加入者に対応する登録された付加的なコンテンツについて尋ねて、この対応するコンテンツをディスプレイ・デバイスに表示する。これに関連して、開始加入者に対応するコンテンツが登録されるとき、サービス・プロバイダ１２０は対応するコンテンツを抽出して、抽出されたコンテンツを提供する。対応するコンテンツのアクセス情報のみが登録されるとき、サービス・プロバイダ１２０は対応するアクセス情報に基づくコンテンツを獲得して、この獲得したコンテンツを提供する。一方、サービス・プロバイダ１２０がユーザーから提供された付加的なコンテンツにマップされた付加的なコンテンツについての要請を受信するとき、サービス・プロバイダ１００はサービス・サーバ２００から対応するコンテンツを獲得して、この獲得したコンテンツをユーザーに提供し得る。
【００９０】
一方、音声通話接続状態が検出されるとき、サービス・プロバイダ１２０は付加的なコンテンツを提供することを停止する。
【００９１】
更に詳しくは、音声通話接続状態が音声通話終了試行状態の後にイベント信号を通じて検出されるとき、サービス・プロバイダ１２０は付加的なコンテンツを提供することを停止する。これに関連して、ユーザーの呼び出し接続ボタン入力が音声通話終了に応じて検出されるとき、ターミナル・オペレータは、対応する状態に対応するイベント信号を生成して、サービス・プロバイダ１２０に音声通話接続状態を検出させるようにする。ユーザーの呼び出し意図の検出に応じて、サービス・プロバイダ１２０は作動状態を非起動状態へ切り換えて、付加的なコンテンツを提供することを停止して、ディスプレイ・デバイス上に表示された付加的なコンテンツに代えて呼び出し処理に関連するターミナル・オペレータ１１０は単独で提供した呼び出しスクリーンは付加的な機能、例えば、キーパッド、スピーカー、及びミュート機能の使用を提供するスクリーン）を表示し、ユーザーは、ターミナル・オペレータにより提供された呼び出しに関連する機能、例えば、ボタン入力、メモ、スピーカーフォン機能等を使用することができる。
【００９２】
以下、本開示事項の第３の実施形態により音声通話終了操作に対応するターミナル・デバイス１００の構造的特徴について、図２の構成を参照して説明する。
【００９３】
サービス・プロバイダ１２０は、発信者／終端者識別情報に対応する付加的なコンテンツを登録する。
【００９４】
更に詳しくは、サービス・プロバイダ１２０は、発信／終端ターミナル・デバイス３００の電話番号に対応する付加的なコンテンツ、例えば、画像情報、画像、テキスト等を登録する。このとき、付加的なコンテンツを登録する際に、付加的なコンテンツが提供されるとき、サービス・プロバイダ１２０は付加的なコンテンツの初期コンテンツまたは登録アクセス情報（例えば、ＵＲＬ）を登録して、このように、付加的なコンテンツが提供されたときに、登録されたアクセス情報に基づいて対応するコンテンツにアクセスし得る。
【００９５】
ターミナル・オペレータ１１０は現在の状態を検出して、検出された現在の状態に対応するイベント信号を生成する。
【００９６】
更に詳しくは、ターミナル・オペレータ１１０はターミナル・デバイス１００の現在の状態を監視して、音声通話接続状態から音声通話終端状態への切り換えを検出し、検出された音声通話終端状態に対応するイベント信号を生成して、この対応するイベント信号をプラットホームを通じてサービス・プロバイダ１２０へ送信する。これに関連して、ターミナル・オペレータは、検出された音声通話終端状態によりプラットホームに対する相手方番号を含むイベント信号を送信し、プラットホームへ送信されたイベント信号は、サービス・プロバイダ１２０が起動するか否かによって、異なって送信される。換言すれば、サービス・プロバイダ１２０が起動（駆動）状態にあるとき、サービス・プロバイダ１２０は単独で、プラットホームの連続監視を通じてＯＳから送信されたイベント信号を獲得する。対照的に、サービス・プロバイダ１２０が非起動（非駆動）状態にあるとき、プラットホームはターミナル・オペレータ１２０からサービス・プロバイダ１２０へ送信されたイベント信号を送信して、サービス・プロバイダ１２０の状態を起動状態へ切り換えて、サービス・プロバイダ１２０に音声通話終端状態を認識させるようにする。
【００９７】
更に、音声通話終端状態がイベント信号を通じて検出されるとき、サービス・プロバイダ１２０は音声通話に対応する予め登録された付加的なコンテンツを提供する。
【００９８】
更に詳しくは、音声通話終端状態がイベント信号を通じて検出されるとき、サービス・プロバイダ１２０はイベント信号に含まれる相手方番号のサービスがサービス登録状態を特定するように登録されているか否かについて尋ね、対応する加入者に対応する登録された付加的なコンテンツについて尋ねて、対応するコンテンツをディスプレイ・デバイスに表示する。これに関連して、相手方加入者に対応するコンテンツが登録されたとき、サービス・プロバイダ１２０は対応するコンテンツを抽出して、抽出されたコンテンツを提供する。対応するコンテンツのアクセス情報のみが登録されるとき、サービス・プロバイダ１００は対応するアクセス情報に基づくコンテンツを獲得して、この獲得したコンテンツを提供する。一方、サービス・プロバイダ１２０が、ユーザーから提供された付加的なコンテンツにマップされた付加的なコンテンツについての要請を受信するとき、サービス・プロバイダ１２０は、サービス・サーバ２００から対応するコンテンツを獲得して、この獲得したコンテンツをユーザーへ提供し得る。
【００９９】
以下、本開示事項の第４の実施形態によるＳＭＳ受領動作に対応するターミナル・デバイス１００の構造的特徴について、図２の構成を参照して説明する。
【０１００】
更に、ターミナル・デバイス１００は、発信者識別情報に対応する付加的なコンテンツを登録する。
【０１０１】
更に詳しくは、サービス・プロバイダ１２０は発信ターミナル・デバイス３００の電話番号に対応する付加的なコンテンツ、例えば画像情報、画像、テキスト等をインストールされたアプリケーションへ送信して、この付加的なコンテンツを登録する。このとき、付加的なコンテンツを登録する際に、サービス・プロバイダ１２０は、付加的なコンテンツの初期コンテンツ又は登録アクセス情報（例えば、ＵＲＬ）を登録して、このように、付加的なコンテンツが提供されたときに、登録されたアクセス情報に基づいて対応するコンテンツへアクセスし得る。
【０１０２】
ターミナル・オペレータ１１０は現在の状態を検出して、検出された現在の状態に対応するイベント信号を生成する。
【０１０３】
更に詳しくは、ターミナル・オペレータ１１０は、ターミナル・デバイス１００の現在の状態を監視して、ＳＭＳ受領状態を検出し、この検出されたＳＭＳ受領状態に対応するイベント信号を生成し、この対応するイベント信号をプラットホームを通じてサービス・プロバイダ１２０へ送信する。これに関連して、ターミナル・オペレータ１１０は、検出されたＳＭＳ受領状態により、発信番号を含むイベント信号をプラットホームへ送信し、このプラットホームへ送信されたイベント信号は、そして、サービス・プロバイダ１２０が起動するか否かによって、異なって送信される。換言すると、サービス・プロバイダ１２０が起動（駆動）状態にあるとき、サービス・プロバイダ１２０は単独で、プラットホームの連続監視を通じてターミナル・オペレータ１１０から送信されたイベント信号を獲得する。対照的に、サービス・プロバイダ１２０が非起動（非駆動）状態にあるとき、プラットホームはターミナル・オペレータ１１０から送信されたイベント信号をサービス・プロバイダ１２０へ送信して、サービス・プロバイダ１２０の状態を起動状態へ切り換えて、サービス・プロバイダ１２０にＳＭＳ受領状態を認識させるようにする。
【０１０４】
更に、ＳＭＳ受領状態がイベント信号を通じて検出されたとき、サービス・プロバイダ１２０は、予め登録された付加的なコンテンツを提供する。
【０１０５】
更に詳しくは、ＳＭＳ受付状態がイベント信号によって検出されるとき、サービス・プロバイダ１２０はイベント信号に含まれる発信番号のサービスがサービス登録状態を特定するように登録されているか否かについて尋ねて、対応する開始加入者に対応する登録された付加的なコンテンツについて尋ねて、対応するコンテンツをディスプレイ・デバイスに表示する。これに関連して、発信加入者に対応するコンテンツが登録されるとき、サービス・プロバイダ１２０は対応するコンテンツを抽出して、抽出されたコンテンツを提供する。対応するコンテンツのアクセス情報のみが登録されるとき、サービス・プロバイダ１２０は対応するアクセス情報に基づいてコンテンツを獲得し、この獲得したコンテンツを提供する。一方、サービス・プロバイダ１２０が、ユーザーから提供された付加的なコンテンツにマップ付けされる付加的なコンテンツについての要請を受信するとき、サービス・プロバイダ１２０はサービス・サーバ２００から対応するコンテンツを獲得して、この獲得したコンテンツをユーザーへ提供し得る。
【０１０６】
上述のように、本開示事項による呼出処理補助サービス・システムに基づいて、呼出処理状態を含むターミナル・デバイスの現在の状態は、ＯＳとの相互作用を通じて検出され、そして、ユーザーによる予め登録された付加的なコンテンツは、検出された現在の状態により発信者／終端者へ提供される。その結果、呼出補助サービスは、コミュニケーション・サービスプロバイダの干渉を伴うこと無く、都合良く提供することができる。更に、サービス・ユーザーが呼び出し接続の前に発信／終端におけるサービス登録を通じて許可される発信／終端相手方の画像を事前に特定できるので、ユーザーは発信相手方の身元を信頼することができ、発信相手方により提供された情報を使用することができるので、事前に様々な音声フィッシング攻撃を防止する。更に、音声通話接続状態またはユーザーの呼び出し意図が検出されるとき、ディスプレイ・デバイスに表示された付加的なコンテンツに代わって、呼出処理に関連してＯＳ単独で提供した呼出スクリーンが表示され、従って、様々な形式の付加的コンテンツを、何らの不便も伴わずに音声通話を使用することを望むユーザーに提供することができる。従って、サービスの利用を増大させることができる。更に、呼び出し終了直後に、呼び出しセンターは、ターミナル・デバイスのスクリーンを通じて顧客満足についての調査を実行して、加入率を上昇させ得る。
【０１０７】
以下、本開示事項の実施形態に従う呼出処理補助サービス方法について、図３乃至図１０を参照して説明する。図１及び図２に説明した構成には、説明の便宜のために、同じ参照番号が割り当てられている。
【０１０８】
先ず、本開示事項の第１の実施形態による音声通話開始操作に対応する呼出処理補助サービス・システムの操作方法について、図３を参照して説明する。
【０１０９】
ターミナル・デバイス１００は、終端ターミナル・デバイス３００により新たに登録された付加的なコンテンツをサービス・サーバ２００から最初に受信する。
【０１１０】
好ましくは、ターミナル・デバイス１００は、インストールされたアプリケーションを更新する処理において、終端ターミナル・デバイス３００により新たに登録された付加的なコンテンツをサービス・サーバ２００から受信して、付加的なコンテンツを提供する。
【０１１１】
次いで、ターミナル・デバイス１００は、終端者識別情報に対応する付加的なコンテンツを登録する。
【０１１２】
好ましくは、ターミナル・デバイス１００は終端ターミナル・デバイス３００の電話番号に対応する付加的なコンテンツ、例えば、画像情報、画像、テキスト等を、インストールされたアプリケーションへ送信して、この付加的なコンテンツを登録する。このとき、付加的なコンテンツを登録する際に、ターミナル・デバイス１００は、付加的なコンテンツの初期コンテンツ又は登録アクセス情報（例えば、ＵＲＬ）を登録して、このように、付加的なコンテンツが提供されるとき、登録されたアクセス情報に基づいて対応するコンテンツへアクセスし得る。
【０１１３】
次いで、ターミナル・デバイス１００は現在の状態を検出して、Ｓ３０乃至Ｓ５０で検出された現在の状態に対応するイベント信号を生成する。
【０１１４】
好ましくは、ターミナル・デバイス１００は、オペレーティング・システム（ＯＳ）を通じて現在の状態を監視し、音声通話開始試行状態を検出して、検出された音声通話開始試行状態に対応するイベント信号を生成し、この対応するイベント信号を、インストールされたアプリケーションへ送信して、プラットホームを通じて付加的なコンテンツを提供する。これに関連して、ＯＳは、検出された音声通話開始試行状態によってユーザーにより入力された終端番号を含むイベント信号をプラットホームへ送信し、このプラットホームへ送信されたイベント信号は、アプリケーションが起動しているか否かにより異なって送信される。換言すれば、アプリケーションが起動（駆動）状態にあるとき、アプリケーションは単独で、プラットホームの連続監視を通じてＯＳから送信されたイベント信号を獲得する。対照的に、アプリケーションが非起動（非駆動）状態にあるとき、プラットホームは、ＯＳから送信されたイベント信号をアプリケーションへ送信し、アプリケーションの状態を起動状態に切り換えて、アプリケーションに音声通話開始試行状態を認識させるようにする。
【０１１５】
次に、音声通話開始試行状態がイベント信号を通じて検出されるとき、ターミナル・デバイス１００は、Ｓ６０乃至Ｓ８０における音声通話に対応する予め登録された付加的なコンテンツを提供する。
【０１１６】
好ましくは、音声通話開始試行状態が、インストールされたアプリケーションを通じて検出されるとき、ターミナル・デバイス１００は、終端番号についてのサービスがサービス登録状態を特定するようにイベント信号に含まれて登録されているか否かに関する情報について尋ね、対応する終端加入者に対応する登録された付加的なコンテンツについて尋ね、対応するコンテンツをディスプレイ・デバイスに表示する。これに関連して、終端加入者に対応するコンテンツが登録されるとき、ターミナル・デバイス１００は、対応するコンテンツを抽出して、この抽出されたコンテンツを提供する。対応するコンテンツのアクセス情報のみが登録されるとき、ターミナル・デバイス１００は対応するアクセス情報に基づいてコンテンツを獲得し、この獲得したコンテンツを提供する。
【０１１７】
一方、ターミナル・デバイス１００が、ユーザーから提供された付加的なコンテンツにマップされた付加的なコンテンツについての要請を受信するとき、ターミナル・デバイス１００はサービス・サーバ２００から対応するコンテンツを獲得して、この獲得したコンテンツをＳ９０乃至Ｓ１２０においてユーザーへ提供し得る。
【０１１８】
その後、音声通話接続状態が検出されたとき、又は、音声通話接続の後に発信者が音声通話を試みるとき、ターミナル・デバイス１００はＳ１３０乃至Ｓ１５０において付加的なコンテンツを提供することを停止する。
【０１１９】
好ましくは、音声発信接続が、音声通話開始試行状態の後にイベント信号を通じて検出されたとき、又は、発信者の音声通話開始試行状態が音声通話接続の後になされたと判定されたとき、ターミナル・デバイス１００は付加的なコンテンツを提供することを停止する。これに関連して、例えば、発信者がターミナル・デバイスを発信者の耳に保持する状態が、設置された近接センサを通じて検出されるか、又は、発信者の音声入力が検出されたとき、ＯＳは検出に対応するイベント信号を生成して、アプリケーションに発信者の音声通話試行、即ち、ユーザーの呼び出し意図を検出させるようにする。ユーザーの呼び出し意図の検出に応じて、アプリケーションは操作状態を非起動状態へ切り換えて、付加的なコンテンツの提供を停止し、ディスプレイ・デバイスに表示された付加的なコンテンツに代えて、呼び出し処理に関連してＯＳにより単独で提供された呼び出しスクリーン（付加的な機能、例えばキーパッド、スピーカー、及びミュート機能の使用を提供するスクリーン）を表示して、ユーザーはＯＳにより提供された呼び出しに関連した機能、例えば、ボタン入力、メモ、スピーカーフォン機能等を使用することができる。
【０１２０】
以下、本開示事項の第２の実施形態による音声通話終了操作に対応する呼出処理補助サービス・システムの操作方法について、図４を参照して説明する。
【０１２１】
ターミナル・デバイス１００は、開始ターミナル・デバイス３００により新たに登録された付加的なコンテンツをＳ１１０においてサービス・サーバ２００から最初に受信する。
【０１２２】
好ましくは、ターミナル・デバイス１００は、付加的なコンテンツを提供するように、インストールされたアプリケーション更新の処理ロセスにおいて、開始ターミナル・デバイス３００により新たに登録された付加的なコンテンツをサービス・サーバ２００から受信する。
【０１２３】
次いで、ターミナル・デバイス１００は、Ｓ２２０において発信者識別情報に対応する付加的なコンテンツを登録する。
【０１２４】
好ましくは、ターミナル・デバイス１００は開始ターミナル・デバイス３００の電話番号に対応する付加的なコンテンツ、例えば、画像情報、画像、テキスト等を、インストールされたアプリケーションへ送信して、付加的なコンテンツを登録する。このとき、付加的なコンテンツを登録する際に、ターミナル・デバイス１００は付加的なコンテンツの初期コンテンツ又は登録アクセス情報（例えば、ＵＲＬ）を登録して、このように、付加的なコンテンツが提供されるとき、登録されたアクセス情報に基づいて対応するコンテンツにアクセスし得る。
【０１２５】
次いで、ターミナル・デバイス１００は現在の状態を検出して、Ｓ２３０乃至Ｓ２５０において検出された現在の状態に対応するイベント信号を生成する。
【０１２６】
好ましくは、ターミナル・デバイス１００は、オペレーティング・システム（ＯＳ）を通じて現在の状態を監視して、音声通話終了試行状態を検出し、この検出された音声通話終了試行状態に対応するイベント信号を生成し、この対応するイベント信号を、インストールされたアプリケーションへ送信し、付加的なコンテンツをプラットホームを通じて提供する。これに関連して、ＯＳは、検出された音声通話終了試行状態による発信番号を含むイベント信号をプラットホームへ送信し、このプラットホームへ送信されたイベント信号はアプリケーションが起動するか否かによって、異なって送信される。換言すれば、アプリケーションが起動（駆動）状態にあるとき、アプリケーションは単独で、プラットホームの連続監視を通じてＯＳから送信されたイベント信号を獲得する。
対照的に、アプリケーションが非起動（非駆動）状態にあるとき、プラットホームは、ＯＳから送信されたイベント信号をアプリケーションへ送信して、アプリケーションの状態を起動状態へ切り換えて、アプリケーションに音声通話終了試行状態を認識させるようにする。
【０１２７】
次に、音声通話終了試行状態がイベント信号を通じて検出されるとき、ターミナル・デバイス１００は、Ｓ２６０乃至Ｓ２８０において、音声通話に対応する予め登録された付加的なコンテンツを提供する。
【０１２８】
好ましくは、音声通話終了試行状態がインストールされたアプリケーションで検出されるとき、ターミナル・デバイス１００は、発信番号のサービスがサービス登録状態を特定するようにイベント信号に含まれて登録されているか否かについての情報を尋ね、対応する開始加入者に対応する登録された付加的なコンテンツについて尋ね、この対応するコンテンツをディスプレイ・デバイスに表示する。これに関連して、開始加入者に対応するコンテンツが登録されるとき、ターミナル・デバイス１００は対応するコンテンツを抽出して、この抽出されたコンテンツを提供する。対応するコンテンツのアクセス情報のみが登録されるとき、ターミナル・デバイス１００は対応するアクセス情報に基づいてコンテンツを獲得し、この獲得したコンテンツを提供する。
【０１２９】
一方、ターミナル・デバイス１００が、ユーザーから提供された付加的なコンテンツにマップされた付加的なコンテンツについての要請を受信するとき、ターミナル・デバイス１００はサービス・サーバ２００から対応するコンテンツを獲得して、この獲得したコンテンツをＳ２９０乃至Ｓ３２０においてユーザーへ提供し得る。
【０１３０】
その後、ターミナル・デバイス１００は、音声通話接続状態がＳ３３０乃至Ｓ３５０において検出されたとき、付加的なコンテンツを提供することを停止する。
【０１３１】
好ましくは、音声通話接続状態が音声通話終了試行状態の後にイベント信号を通じて検出されたとき、ターミナル・デバイス１００は付加的なコンテンツを提供することを停止する。これに関連して、ユーザーの呼び出し接続ボタン入力が音声通話終了に応じて検出されるとき、ＯＳは対応する状態に対応するイベント信号を生成して、アプリケーションに音声通話接続状態を検出させるようにする。音声通話接続状態の検出に応じて、アプリケーションは作動状態を非起動状態へ切り換えて、付加的なコンテンツを提供することを停止し、ディスプレイ・デバイスに表示された付加的なコンテンツに代えて、呼び出し処理に関連してＯＳにより提供された呼び出しスクリーン（付加的な機能、例えば、キーパッド、スピーカー、及びミュート機能の使用を提供するスクリーン）を表示し、ユーザーが、ＯＳによる提供された呼び出しに関連した機能、例えば、ボタン入力、メモ、スピーカーフォン機能等を使用できるようにする。
【０１３２】
以下、本開示事項の第３の実施形態によって音声通話終了操作に対応する呼出処理補助サービス・システムの操作方法について、図５を参照して説明する。
【０１３３】
ターミナル・デバイス１００は、開始／終端ターミナル・デバイス３００により新たに登録された付加的なコンテンツをＳ４１０においてでサービス・サーバ２００から最初に受信する。
【０１３４】
好ましくは、ターミナル・デバイス１００は、呼び出し接続相手方、即ち、付加的なコンテンツを提供するようにインストロールされたアプリケーションを更新する処理におけるサービス・サーバ２００からの開始／終端デバイスにより新たに登録された付加的なコンテンツを受信する。
【０１３５】
次いで、ターミナル・デバイス１００は、Ｓ４２０において、発信者／終端者識別情報に対応する付加的なコンテンツを登録する。
【０１３６】
好ましくは、ターミナル・デバイス１００は開始／終端ターミナル・デバイス３００の電話番号に対応する付加的なコンテンツ、例えば、画像情報、画像、テキスト等を、インストールされたアプリケーションへ送信して、この付加的なコンテンツを登録する。このとき、付加的なコンテンツを登録する際に、ターミナル・デバイス１００は付加的なコンテンツの初期コンテンツ又は登録アクセス情報（例えば、ＵＲＬL）を登録して、このように、付加的なコンテンツが提供されるとき、登録されたアクセス情報に基づいて対応するコンテンツにアクセスし得る。
【０１３７】
次いで、ターミナル・デバイス１００は現在の状態を検出して、Ｓ４３０乃至Ｓ４５０において、検出された現在の状態に対応するイベント信号を生成する。
【０１３８】
好ましくは、ターミナル・デバイス１００は、オペレーティング・システム（ＯＳ）を通じて現在の状態を監視して、音声通話接続状態から音声通話終了状態への切り換えを検出し、その検出された音声通話終了状態に対応するイベント信号を生成し、この対応するイベント信号を、インストールされたアプリケーションへ送信し、付加的なコンテンツをプラットホームを通じて提供する。これに関連して、ＯＳは、検出された音声通話終了状態による相手方番号を含むイベント信号をプラットホームへ送信し、このプラットホームへ送信されたイベント信号はアプリケーションが起動するか否かによって、異なって送信される。換言すれば、アプリケーションが起動（駆動）状態にあるとき、アプリケーションは単独で、プラットホームの連続監視を通じてＯＳから送信されたイベント信号を獲得する。対照的に、アプリケーションが非起動（非駆動）状態にあるとき、プラットホームは、ＯＳから送信されたイベント信号をアプリケーションへ送信して、アプリケーションの状態を起動状態へ切り換えて、アプリケーションに音声通話終了状態を認識させるようにする。
【０１３９】
次に、音声通話終了状態がイベント信号を通じて検出されるとき、ターミナル・デバイス１００は、Ｓ４６０乃至Ｓ４８０において、音声通話に対応する予め登録された付加的なコンテンツを提供する。
【０１４０】
好ましくは、音声通話終了状態が、インストールされたアプリケーションを通じて検出されるとき、ターミナル・デバイス１００は、相手方番号のサービスがサービス登録状態を特定するようにイベント信号に含まれて登録されているか否かについての情報を尋ね、対応する加入者に対応する登録された付加的なコンテンツについて尋ね、この対応するコンテンツをディスプレイ・デバイスに表示する。これに関連して、相手方加入者に対応するコンテンツが登録されるとき、ターミナル・デバイス１００は対応するコンテンツを抽出して、この抽出されたコンテンツを提供する。対応するコンテンツのアクセス情報のみが登録されるとき、ターミナル・デバイス１００は対応するアクセス情報に基づいてコンテンツを獲得し、この獲得したコンテンツを提供する。
【０１４１】
一方、ターミナル・デバイス１００が、ユーザーから提供された付加的なコンテンツにマップされた付加的なコンテンツについての要請を受信するとき、ターミナル・デバイス１００はサービス・サーバ２００から対応するコンテンツを獲得して、この獲得したコンテンツをＳ４９０乃至Ｓ５２０においてユーザーへ提供し得る。
【０１４２】
以下、本開示事項の第４の実施形態によるＳＭＳ受領操作に対応する呼出処理補助サービス・システムの操作方法について、図６を参照して説明する。
【０１４３】
ターミナル・デバイス１００は、開始ターミナル・デバイス３００により新たに登録された付加的なコンテンツをサービス・サーバ２００からＳ６１０において最初に受信する。
【０１４４】
好ましくは、ターミナル・デバイス１００は、インストールされたアプリケーションを更新する処理において、開始ターミナル・デバイス３００により新たに登録された付加的なコンテンツをサービス・サーバ２００から受信して、付加的なコンテンツを提供する。
【０１４５】
次いで、ターミナル・デバイス１００は、発信者識別情報に対応する付加的なコンテンツをＳ６２０において登録する。
【０１４６】
好ましくは、ターミナル・デバイス１００は開始ターミナル・デバイス３００の電話番号に対応する付加的なコンテンツ、例えば、画像情報、画像、テキスト等を、インストールされたアプリケーションへ送信して、この付加的なコンテンツを登録する。このとき、付加的なコンテンツを登録する際に、ターミナル・デバイス１００は、付加的なコンテンツの初期コンテンツ又は登録アクセス情報（例えば、ＵＲＬ）を登録して、このように、付加的なコンテンツが提供されるとき、登録されたアクセス情報に基づいて対応するコンテンツへアクセスし得る。
【０１４７】
次いで、ターミナル・デバイス１００は現在の状態を検出して、Ｓ６３０乃至Ｓ６５０で検出された現在の状態に対応するイベント信号を生成する。
【０１４８】
好ましくは、ターミナル・デバイス１００は、オペレーティング・システム（ＯＳ）を通じて現在の状態を監視し、ＳＭＳ受領状態を検出して、検出されたＳＭＳ受領状態に対応するイベント信号を生成し、この対応するイベント信号を、インストールされたアプリケーションへ送信して、プラットホームを通じて付加的なコンテンツを提供する。これに関連して、ＯＳは、検出された音ＳＭＳ受領状態による発信番号を含むイベント信号をプラットホームへ送信し、このプラットホームへ送信されたイベント信号は、アプリケーションが起動しているか否かにより異なって送信される。換言すれば、アプリケーションが起動（駆動）状態にあるとき、アプリケーションは単独で、プラットホームの連続監視を通じてＯＳから送信されたイベント信号を獲得する。対照的に、アプリケーションが非起動（非駆動）状態にあるとき、プラットホームは、ＯＳから送信されたイベント信号をアプリケーションへ送信し、アプリケーションの状態を起動状態に切り換えて、アプリケーションにＳＭＳ受領状態を認識させるようにする。
【０１４９】
次に、ＳＭＳ受領状態がイベント信号を通じて検出されるとき、ターミナル・デバイス１００は、Ｓ６０乃至Ｓ６８０において予め登録された付加的なコンテンツを提供する。
【０１５０】
好ましくは、ＳＭＳ受領状態が、インストールされたアプリケーションにより検出されるとき、ターミナル・デバイス１００は、発信番号のサービスがサービス登録状態を特定するようにイベント信号に含まれて登録されているか否かに関する情報について尋ね、対応する発信加入者に対応する登録された付加的なコンテンツについて尋ね、対応するコンテンツをディスプレイ・デバイスに表示する。これに関連して、発信加入者に対応するコンテンツが登録されるとき、ターミナル・デバイス１００は、対応するコンテンツを抽出して、この抽出されたコンテンツを提供する。対応するコンテンツのアクセス情報のみが登録されるとき、ターミナル・デバイス１００は対応するアクセス情報に基づいてコンテンツを獲得し、この獲得したコンテンツを提供する。
【０１５１】
一方、ターミナル・デバイス１００が、ユーザーから提供された付加的なコンテンツにマップされた付加的なコンテンツについての要請を受信するとき、ターミナル・デバイス１００はサービス・サーバ２００から対応するコンテンツを獲得して、この獲得したコンテンツをＳ６９０乃至Ｓ７２０においてユーザーへ提供し得る。
【０１５２】
以下、本開示事項の第１の実施形態による音声通話開始操作に対応するターミナル・デバイス１００の操作方法について、図７の構成を参照して説明する。
【０１５３】
ターミナル・デバイス１００は先ず現在の状態を監視して、Ｓ８１０乃至Ｓ８２０において音声通話開始試行状態を検出する。
【０１５４】
好ましくは、ターミナル・オペレータ１１０は、ターミナル・デバイス１００の現在の状態を監視して、音声通話開始試行状態を検出して、この検出された音声通話開始試行状態に対応するイベント信号を生成し、この対応するイベント信号をプラットホームを通じてサービス・プロバイダ１２０へ送信する。これに関連して、ターミナル・オペレータ１１０は、検出された音声通話開始試行状態によりユーザーによる終了番号入力を含むイベント信号をプラットホームへ送信し、このプラットホームへ送信されたイベント信号は、サービス・プロバイダ１２０が起動しているか否かにより異なって送信される。換言すれば、サービス・プロバイダ１２０が起動（駆動）状態にあるとき、サービス・プロバイダ１２０は単独で、プラットホームの連続監視を通じてＯＳから送信されたイベント信号を獲得する。対照的に、サービス・プロバイダ１２０が非起動（非駆動）状態にあるとき、プラットホームは、ＯＳから送信されたイベント信号をサービス・プロバイダ１２０へ送信し、サービス・プロバイダ１２０の状態を起動状態へ切り換えて、サービス・プロバイダ１２０に音声通話開始試行状態を認識させるようにする。
【０１５５】
次に、音声通話開始試行状態がイベント信号を通じて検出されるとき、音声通話に対応する予め登録された付加的なコンテンツがＳ８３０乃至Ｓ８５０で提供される。
【０１５６】
好ましくは、音声通話開始試行状態がイベント信号を通じて検出されたとき、サービス・プロバイダ１２０は、終端番号のサービスが、サービス登録状態を特定する終端番号についてのサービスがイベント信号に含まれて登録されているか否かに関する情報について尋ね、対応する終端加入者に対応する登録された付加的なコンテンツについて尋ね、対応するコンテンツをディスプレイ・デバイスに表示する。これに関連して、終端加入者に対応するコンテンツが登録されたとき、サービス・プロバイダ１２０は、対応するコンテンツを抽出して、この抽出されたコンテンツを提供する。対応するコンテンツのアクセス情報のみが登録されるとき、サービス・プロバイダ１００は対応するアクセス情報に基づいてコンテンツを獲得し、この獲得したコンテンツを提供する。
【０１５７】
その後、音声通話接続状態が検出されたとき、又は、音声通話接続の後に発信者が音声通話を試みるとき、Ｓ８６０乃至Ｓ８８０において付加的なコンテンツの提供が停止する。
【０１５８】
更に詳しくは、音声発信接続が、音声通話開始試行状態の後にイベント信号を通じて検出されたとき、又は、発信者の音声通話開始試行状態が音声通話接続の後になされたと判定されたとき、サービス・プロバイダ１２０は付加的なコンテンツを提供することを停止する。これに関連して、例えば、発信者がターミナル・デバイスを発信者の耳に保持する状態が、設置された近接センサを通じて検出されるか、又は、発信者の音声入力が検出されたとき、ターミナル・オペレータ１１０は、その検出に対応するイベント信号を生成して、サービス・プロバイダ１２０に発信者の音声通話試行、即ち、ユーザーの呼び出し意図を検出させるようにする。ユーザーの呼び出し意図の検出に応じて、サービス・プロバイダ１２０は操作状態を非起動状態へ切り換えて、付加的なコンテンツの提供を停止し、ディスプレイ・デバイスに表示された付加的なコンテンツに代えて、呼び出し処理に関連してターミナル・オペレータ１１０により単独で提供された呼び出しスクリーン（付加的な機能、例えばキーパッド、スピーカー、及びミュート機能の使用を提供するスクリーン）を表示して、ユーザーはターミナル・オペレータにより提供された呼び出しに関連した機能、例えば、ボタン入力、メモ、スピーカーフォン機能等を使用することができる。
【０１５９】
以下、本開示事項の第２の実施形態による音声通話終了操作に対応するターミナル・デバイス１００の操作方法について、図８の構成を参照して説明する。
【０１６０】
ターミナル・デバイス１００は先ず現在の状態を監視して、Ｓ９１０乃至Ｓ９２０において音声通話終了状態を検出する。
【０１６１】
好ましくは、ターミナル・オペレータ１１０は、ターミナル・デバイス１００の現在の状態を監視して、音声通話終了試行状態を検出し、この検出された音声通話終了試行状態に対応するイベント信号を生成し、この対応するイベント信号を、プラットホームを通じてサービス・プロバイダ１２０へ送信する。これに関連して、ターミナル・オペレータ１１０は、検出された音声通話終了試行状態によりユーザーによる発信番号入力を含むイベント信号をプラットホームへ送信し、このプラットホームへ送信されたイベント信号はサービス・プロバイダ１２０が起動するか否かによって、異なって送信される。換言すれば、サービス・プロバイダ１２０が起動（駆動）状態にあるとき、サービス・プロバイダ１２０は単独で、プラットホームの連続監視を通じてＯＳから送信されたイベント信号を獲得する。対照的に、サービス・プロバイダ１２０が非起動（非駆動）状態にあるとき、プラットホームは、ターミナル・オペレータ１１０から送信されたイベント信号をサービス・プロバイダ１２０へ送信して、サービス・プロバイダ１２０の状態を起動状態へ切り換えて、サービス・プロバイダ１２０に音声通話終了試行状態を認識させるようにする。
【０１６２】
次に、音声通話終了試行状態がイベント信号を通じて検出されるとき、Ｓ９３０乃至Ｓ９５０において、音声通話に対応する予め登録された付加的なコンテンツが提供される。
【０１６３】
好ましくは、音声通話終了試行状態が、インストールされたアプリケーションにより検出されるとき、サービス・プロバイダ１２０は、発信番号のサービスがサービス登録状態を特定するようにイベント信号に含まれて登録されているか否かについての情報を尋ね、対応する発信加入者に対応する登録された付加的なコンテンツについて尋ね、この対応するコンテンツをディスプレイ・デバイスに表示する。これに関連して、発信加入者に対応するコンテンツが登録されたとき、サービス・プロバイダ１２０は対応するコンテンツを抽出して、この抽出されたコンテンツを提供する。対応するコンテンツのアクセス情報のみが登録されるとき、サービス・プロバイダ１２０は、対応するアクセス情報に基づいてコンテンツを獲得し、この獲得したコンテンツを提供する。
【０１６４】
その後、音声通話接続状態がＳ９６０乃至Ｓ９８０において検出されたとき、付加的なコンテンツの提供が停止する。
【０１６５】
好ましくは、音声通話接続状態が音声通話終了試行状態の後にイベント信号を通じて検出されたとき、サービス・プロバイダ１２０は付加的なコンテンツを提供することを停止する。これに関連して、ユーザーの呼び出し接続ボタン入力が音声通話終了に応じて検出されるとき、ターミナル・オペレータは対応する状態に対応するイベント信号を生成して、サービス・プロバイダ１２０に音声通話接続状態を検出させるようにする。音声通話接続状態の検出に応じて、サービス・プロバイダ１２０は作動状態を非起動状態へ切り換えて、付加的なコンテンツを提供することを停止し、ディスプレイ・デバイスに表示された付加的なコンテンツに代えて、呼び出し処理に関連してターミナル・オペレータ１１０により単独で提供された呼び出しスクリーン（付加的な機能、例えば、キーパッド、スピーカー、及びミュート機能の使用を提供するスクリーン）を表示し、ユーザーが、ターミナル・オペレータ１１０による提供された呼び出しに関連した機能、例えば、ボタン入力、メモ、スピーカーフォン機能等を使用できるようにする。
【０１６６】
以下、本開示事項の第３の実施形態によって音声通話終了操作に対応するターミナル・デバイスの操作方法について、図９の構成を参照して説明する。
【０１６７】
先ず、現在の状態が監視されて、音声呼び出し終了状態がＳ１０１０乃至Ｓ１０３０において検出される。
【０１６８】
好ましくは、ターミナル・オペレータ１１０は、ターミナル・デバイス１００の現在の状態を検出して、音声通話接続状態から音声通話終了状態への切り換えを検出し、その検出された音声通話終了状態に対応するイベント信号を生成し、この対応するイベント信号を、プラットホームを通じてサービス・プロバイダ１２０へ送信する。これに関連して、ターミナル・オペレータ１１０は、、検出された音声通話終了状態による相手方番号を含むイベント信号をプラットホームへ送信し、このプラットホームへ送信されたイベント信号はサービス・プロバイダ１２０が起動するか否かによって、異なって送信される。換言すれば、サービス・プロバイダ１２０が起動（駆動）状態にあるとき、サービス・プロバイダ１２０は単独で、プラットホームの連続監視を通じてＯＳから送信されたイベント信号を獲得する。対照的に、サービス・プロバイダ１２０が非起動（非駆動）状態にあるとき、プラットホームは、ターミナル・オペレータ１２０から送信されたイベント信号をサービス・プロバイダ１２０へ送信して、サービス・プロバイダ１２０の状態を起動状態へ切り換えて、サービス・プロバイダ１２０に音声通話終了状態を認識させるようにする。
【０１６９】
次に、音声通話終了状態がイベント信号を通じて検出されるとき、Ｓ１０４０乃至Ｓ１０６０において、音声通話に対応する予め登録された付加的なコンテンツが提供される。
【０１７０】
更に詳しくは、音声通話終了状態が、イベント信号を通じて検出されるとき、サービス・プロバイダ１２０は、相手方番号のサービスがサービス登録状態を特定するようにイベント信号に含まれて登録されているか否かについての情報を尋ね、対応する加入者に対応する登録された付加的なコンテンツについて尋ね、この対応するコンテンツをディスプレイ・デバイスに表示する。これに関連して、相手方加入者に対応するコンテンツが登録されるとき、サービス・プロバイダ１２０は対応するコンテンツを抽出して、この抽出されたコンテンツを提供する。対応するコンテンツのアクセス情報のみが登録されるとき、サービス・プロバイダ１００は対応するアクセス情報に基づいてコンテンツを獲得し、この獲得したコンテンツを提供する。
【０１７１】
以下、本開示事項の第４の実施形態によるＳＭＳ受領操作に対応するターミナル・デバイス１００の操作方法について、図１０の構成を参照して説明する。
【０１７２】
先ず、Ｓ１１１０乃至Ｓ１１２０において、現在の状態が検出されて、ＳＭＳ受領状態が検出される。
【０１７３】
好ましくは、ターミナル・オペレータ１１０は、ターミナル・デバイス１００の現在の状態を監視し、ＳＭＳ受領状態を検出して、この検出されたＳＭＳ受領状態に対応するイベント信号を生成し、この対応するイベント信号をプラットホームを通じてサービス・プロバイダ１２０へ送信する。これに関連して、ターミナル・オペレータ１１０は、検出された音ＳＭＳ受領状態による発信番号を含むイベント信号をプラットホームへ送信し、このプラットホームへ送信されたイベント信号は、サービス・プロバイダ１２０が起動しているか否かにより異なって送信される。換言すれば、サービス・プロバイダ１２０が起動（駆動）状態にあるとき、サービス・プロバイダ１２０は単独で、プラットホームの連続監視を通じてターミナル・オペレータ１１０から送信されたイベント信号を獲得する。対照的に、サービス・プロバイダが非起動（非駆動）状態にあるとき、プラットホームは、ターミナル・オペレータ１１０から送信されたイベント信号をサービス・プロバイダ１２０へ送信し、サービス・プロバイダ１２０の状態を起動状態に切り換えて、サービス・プロバイダ１２０にＳＭＳ受領状態を認識させるようにする。
【０１７４】
その後、ＳＭＳ受領状態がイベント信号を通じて検出されるとき、Ｓ１１３０乃至Ｓ１１５０において予め登録された付加的なコンテンツが提供される。
【０１７５】
好ましくは、ＳＭＳ受領状態が、イベント信号を通じて検出されるとき、サービス・プロバイダ１２０は、発信番号のサービスがサービス登録状態を特定するようにイベント信号に含まれて登録されているか否かに関する情報について尋ね、対応する発信加入者に対応する登録された付加的なコンテンツについて尋ね、対応するコンテンツをディスプレイ・デバイスに表示する。これに関連して、発信加入者に対応するコンテンツが登録されるとき、サービス・プロバイダ１２０は、対応するコンテンツを抽出して、この抽出されたコンテンツを提供する。対応するコンテンツのアクセス情報のみが登録されるとき、サービス・プロバイダ１２０は対応するアクセス情報に基づいてコンテンツを獲得し、この獲得したコンテンツを提供する。
【０１７６】
上述したように、本開示事項による呼出処理補助サービス・システムに基づいて、呼出処理状態を含むターミナル・デバイスの現在の状態はＯＳとの相互作用を通じて検出され、ユーザーにより予め登録された付加的なコンテンツは検出された現在の状態に従って発信者／終端者に提供される。その結果、呼び出し補助サービスは、コミュニケーション・サービスプロバイダの干渉を伴うこと無く津郷良く提供することができる。更に、サービス・ユーザーが呼び出し接続の前に発信／終端におけるサービス登録を通じて許可される発信／終端相手方の画像を事前に確認することができるので、ユーザーは発信相手方の身元を信頼することができ、発信相手方により提供された情報を使用することができるので、様々な音声フィッシング攻撃が事前に防止される。更に、音声通話接続状態又はユーザーの呼び出し意図が検出されるとき、ディスプレイ・デバイスに表示された付加的なコンテンツに代わって呼出処理に関連してＯＳが単独で提供する呼び出しスクリーンが表示されるので、何らの不便を伴わずに音声通話を使用することを望むユーザーに、様々な付加的なコンテンツを提供することができる。従って、サービスの利用を増大することができる。更に、呼び出しが終了直後に、コール・センターは加入率を上昇させるためにターミナル・デバイスのスクリーンを通じて顧客満足についての調査を実行し得る。
【０１７７】
一方、与えられた実施形態に関連して説明された方法、又はアルゴリズムのステップは、プログラム・コマンドの形態で実装でき、これは様々なコンピュータ手段によって実行することができ、コンピュータ可読記録媒体に記録し得る。コンピュータ可読媒体はプログラム・コマンド、データ・ファイル、及びータ構造を個々に又はそれらの組合せで含み得る。媒体に記録されるプログラム・コマンドは、本開示事項のために特別に設計されて構成されるが、コンピュータ・ソフトウェアの技術分野の当業者に知られた後に使用されることもあろう。コンピュータ可読記録媒体の例は、ハードディスク、フロッピー・ディスク及び磁気テープなどの磁気媒体、コンパクトディスク・リードオンリー・メモリ（ＣＤ−ＲＯＭ）及びデジタル多用途ディスク（ＤＶＤ）などの光学式媒体、フロッピー・ディスクなどの光磁気媒体、並びにリード・オンリー・メモリ（ＲＯＭ）、ランダム・アクセス・メモリ（ＲＡＭ）及びフラッシュ・メモリなどのハードウェア・デバイスを含み、これらはプログラム指令を記憶して実行するように特別に構成されている。プログラム・コマンドの例は、コンパイラにより生成された機械言語コード、及びインタープリタ等を通じてコンピュータにより実行可能な高レベル言語コードを含む。ハードウェア・デバイスは、本開示事項の操作を実行する一つ以上のソフトウェア・モジュールとして作動するように構成される場合があり、その逆も同様である。
【０１７８】
本開示事項について例示的な実施形態を参照して説明したが、本開示事項はそれに制限されるものではなく、様々な修正例及び変更例が本開示事項の要旨を逸脱しない範囲でそれになることができることは当業者にとって明白である。
【０１７９】
産業上の利用可能性
本開示事項によるターミナル・デバイス及びその操作方法を提供している呼出処理補助サービスによれば、本開示事項は、呼び出し処理状態を含むターミナルの現在の状態がオペレーティング・システム（ＯＳ）の相互作用を通じて検出することができ、ユーザーにより予め登録された付加的なコンテンツを、検出された現在の状態に応じて発信者／終端者へ提供することができるという点で、従来の技術の制約を克服する。従って、本開示事項の関連技術を使用することができ、また、本開示事項が適用されたデバイスには市場に参入して販売される高い可能性がある。従って、本開示事項は明らかに実際に実行することができて、このように産業に大いに適用できる。
【図１】
2014533456.tif 000003
【図２】
2014533456.tif 000004
【図３】
2014533456.tif 000005
【図４】
2014533456.tif 000006
【図５】
2014533456.tif 000007
【図６】
2014533456.tif 000008
【図７】
2014533456.tif 000009
【図８】
2014533456.tif 000010
【図９】
2014533456.tif 000011
【図１０】
2014533456.tif 000012
【手続補正書】
【提出日】平成26年6月9日(2014.6.9)
【手続補正１】
【補正対象書類名】特許請求の範囲
【補正対象項目名】全文
【補正方法】変更
【補正の内容】
【特許請求の範囲】
【請求項１】
ターミナル・デバイスであり、
ターミナル・デバイスの現在の状態を検出して、検出された現在の状態に対応するイベント信号を提供するように構成されたターミナル・オペレータと、
音声通話開始試行状態と音声通話終了状態とのうちの少なくとも一方が前記イベント信号を通じて検出されるとき、音声通話に対応する予め登録された付加的なコンテンツを提供するように構成されたサービス・プロバイダとを備え、
音声通話接続の後に、発信者による音声通話の音声通話開始試行状態又は音声通話の試行が検出された後に音声通話接続状態がイベント信号を通じて検出されたとき、前記サービス・プロバイダは、起動状態を非起動状態へ切り換えることにより、付加的なコンテンツの提供を停止し、
前記ターミナル・オペレータは前記イベント信号をプラットホームへ送信し、
前記サービス・プロバイダは前記プラットホームから前記イベント信号を受信し、
前記サービス・プロバイダが起動状態にあるとき、前記サービス・プロバイダは前記プラットホームの連続的監視を通じて前記プラットホームから前記イベント信号を獲得し、
前記サービス・プロバイダが非起動状態にあるとき、前記プラットホームが前記音声通話開始試行状態と音声通話終了状態とのうちの少なくとも一方に対応するイベント信号を前記サービス・プロバイダへ送信するならば、前記サービス・プロバイダは起動状態へ切り換えられて前記イベント信号を獲得するターミナル・デバイス。
【請求項２】
請求項１のターミナル・デバイスにおいて、前記音声通話開始試行状態と前記音声通話終了状態とのうちの少なくとも一方が前記イベント信号を通じて検出されるとき、前記サービス・プロバイダは、音声通話の発信者識別情報又は終端者識別情報に対応する予め登録された付加的なコンテンツを提供するターミナル・デバイス。
【請求項３】
請求項１のターミナル・デバイスにおいて、前記音声通話開始試行状態と前記音声通話終了状態とのうちの少なくとも一方が前記イベント信号を通じて検出されるとき、前記サービス・プロバイダは、非起動状態を起動状態へ切り換えることにより、音声通話の発信者識別情報又は終端者識別情報に対応する予め登録された付加的なコンテンツを提供するターミナル・デバイス。
【請求項４】
ターミナル・デバイスであり、
ターミナル・デバイスの現在の状態を検出して、検出された現在の状態に対応するイベント信号を提供するように構成されたターミナル・オペレータと、
音声通話終了試行状態と音声通話終了状態とのうちの少なくとも一方が前記イベント信号を通じて検出されるとき、音声通話に対応する予め登録された付加的なコンテンツを提供するように構成されたサービス・プロバイダとを備え、
音声通話終了試行状態の後に、音声通話接続状態がイベント信号を通じて検出されたとき、前記サービス・プロバイダは、起動状態を非起動状態へ切り換えることにより、付加的なコンテンツの提供を停止し、
前記ターミナル・オペレータは前記イベント信号をプラットホームへ送信し、
前記サービス・プロバイダは前記プラットホームから前記イベント信号を受信し、
前記サービス・プロバイダが起動状態にあるとき、前記サービス・プロバイダは前記プラットホームの連続的監視を通じて前記プラットホームから前記イベント信号を獲得し、
前記サービス・プロバイダが非起動状態にあるとき、前記プラットホームが前記音声通話開始試行状態と音声通話終了状態とのうちの少なくとも一方に対応するイベント信号を前記サービス・プロバイダへ送信するならば、前記サービス・プロバイダは起動状態へ切り換えられて前記イベント信号を獲得するターミナル・デバイス。
【請求項５】
請求項４のターミナル・デバイスにおいて、前記音声通話終了試行状態と前記音声通話終了状態とのうちの少なくとも一方が前記イベント信号を通じて検出されるとき、前記サービス・プロバイダは、音声通話の発信者識別情報又は終端者識別情報に対応する予め登録された付加的なコンテンツを提供するターミナル・デバイス。
【請求項６】
請求項４のターミナル・デバイスにおいて、ショート・メッセージ・サービス（ＳＭＳ）受領状態が前記イベント信号を通じて検出されるとき、前記サービス・プロバイダは、前記ＳＭＳの発信者識別情報及び終端者識別情報に対応する予め登録された付加的なコンテンツを提供するターミナル・デバイス。
【請求項７】
請求項４のターミナル・デバイスにおいて、前記音声通話終了試行状態と前記音声通話終了状態とのうちの少なくとも一方に対応するイベント信号が受信されたとき、前記サービス・プロバイダは、作動状態を起動状態へ切り換えることにより、前記音声通話の発信者識別情報及び終端者識別情報に対応する予め登録された付加的なコンテンツを提供するターミナル・デバイス。
【請求項８】
ターミナル・デバイスの操作方法であって、
前記ターミナル・デバイスの現在の状態を検出し、ターミナル・オペレータにより検出された現在の状態に対応するイベント信号を生成し、
サービス・プロバイダによる前記イベント信号に対応する前記ターミナル・デバイスの前記現在の状態を特定し、
音声通話開始試行状態と音声通話終了状態とのうちの少なくとも一方が前記イベント信号を通じて検出されるとき、前記サービス・プロバイダによる音声通話に対応する予め登録された付加的なコンテンツを提供することを含み、
前記操作方法は更に、音声通話接続の後に、発信者による音声通話の音声通話開始試行状態又は音声通話の試行が検出された後に音声通話接続状態が前記イベント信号を通じて検出されたとき、前記サービス・プロバイダにより起動状態を非起動状態へ切り換えることにより、付加的なコンテンツの提供を停止し、
前記イベント信号の前記生成において、前記ターミナル・オペレータは前記イベント信号をプラットホームへ送信し、
前記現在の状態の前記検出において、前記サービス・プロバイダは前記プラットホームから前記イベント信号を受信し、前記サービス・プロバイダが起動状態にあるとき、前記サービス・プロバイダは前記プラットホームの連続的監視を通じて前記プラットホームから前記イベント信号を獲得し、前記サービス・プロバイダが非起動状態にあるとき、前記プラットホームが前記音声通話開始試行状態と音声通話終了状態とのうちの少なくとも一方に対応するイベント信号を前記サービス・プロバイダへ送信するならば、前記サービス・プロバイダは起動状態へ切り換えられて、前記イベント信号を獲得し、かつ、前記ターミナル・デバイスの前記現在の状態を検出することを含む方法。
【請求項９】
請求項８の操作方法において、予め登録された付加的なコンテンツの前記提供が、前記音声通話開始試行状態と前記音声通話終了状態とのうちの少なくとも一方が検出されるとき、音声通話の発信者識別情報又は終端者識別情報に対応する予め登録された付加的なコンテンツを提供する方法。
【請求項１０】
請求項８の操作方法において、予め登録された付加的なコンテンツの前記提供が、前記音声通話開始試行状態と前記音声通話終了状態とのうちの少なくとも一方に対応するイベント信号が生成されたとき、作動状態を非起動状態へ切り換えることにより、音声通話の発信者識別情報又は終端者識別情報に対応する付加的なコンテンツを提供する方法。
【請求項１１】
ターミナル・デバイスの操作方法であって、
ターミナル・デバイスの現在の状態を検出して、この検出された現在の状態に対応するイベント信号をターミナル・オペレータにより生成し、
サービス・プロバイダにより前記イベント信号に対応する前記ターミナル・デバイスの前記現在の状態を特定し、
音声通話終了試行状態と音声通話終了状態とのうちの少なくとも一方が前記イベント信号を通じて検出されたとき、前記サービス・プロバイダにより音声通話に対応する予め登録された付加的なコンテンツを提供することを含み、
前記操作方法は更に、音声通話終了試行状態の後に、音声通話接続状態が前記イベント信号を通じて検出されたとき、前記サービス・プロバイダにより、起動状態を非起動状態へ切り換えることにより、付加的なコンテンツの提供を停止し、
前記イベント信号の前記生成において、前記ターミナル・オペレータは前記イベント信号をプラットホームへ送信し、
前記現在の状態の検出において、前記サービス・プロバイダは前記プラットホームから前記イベント信号を受信し、前記サービス・プロバイダが起動状態にあるとき、前記サービス・プロバイダは前記プラットホームの連続的監視を通じて前記プラットホームから前記イベント信号を獲得すると共に、前記サービス・プロバイダが非起動状態にあるとき、前記プラットホームが前記音声通話開始試行状態と音声通話終了状態とのうちの少なくとも一方に対応するイベント信号を前記サービス・プロバイダへ送信するならば、前記サービス・プロバイダは起動状態へ切り換えられて前記イベント信号を獲得し、かつ、前記ターミナル・デバイスの前記現在の状態を検出することを含む方法。
【請求項１２】
請求項１１の操作方法において、予め登録された付加的なコンテンツの前記提供が、前記音声通話終了試行状態と前記音声通話終了状態とのうちの少なくとも一方が前記イベント信号を通じて検出されるとき、音声通話の発信者識別情報及び終端者識別情報に対応する予め登録された付加的なコンテンツを提供する方法。
【請求項１３】
請求項１１の操作方法において、予め登録された付加的なコンテンツの前記提供が、ショート・メッセージ・サービス（ＳＭＳ）受領状態が前記イベント信号を通じて検出されたとき、前記ＳＭＳの発信者識別情報及び終端者識別情報に対応する予め登録された付加的なコンテンツを提供する方法。
【請求項１４】
請求項１１の操作方法において、予め登録された付加的なコンテンツの前記提供が、前記音声通話終了試行状態と前記音声通話終了状態とのうちの少なくとも一方に対応する前記イベント信号が生成されたとき、作動状態を起動状態へ切り換えることにより、音声通話の発信者識別情報又は終端者識別情報に対応する予め登録された付加的なコンテンツを提供する方法。
【請求項１５】
コンピュータ可読記録媒体であって、
ターミナル・デバイスの現在の状態により生成されたイベント信号を検出し、
前記イベント信号を通じて音声通話開始試行状態と音声通話終了状態とのうちの少なくとも一方を特定し、
前記音声通話開始試行状態と前記音声通話終了状態とのうちの少なくとも一方の前記特定により、音声通話の発信者識別情報又は終端者識別情報に対応する予め登録された付加的なコンテンツを提供し、
音声通話接続の後に、発信者による音声通話の音声通話開始試行状態又は音声通話の試行が検出された後に音声通話接続状態が前記イベント信号を通じて検出されたとき、起動状態を非起動状態へ切り換えることにより、付加的なコンテンツの提供を停止し、
前記イベント信号の前記生成において、前記ターミナル・オペレータは前記イベント信号をプラットホームへ送信し、
前記現在の状態の検出において、前記サービス・プロバイダは前記プラットホームから前記イベント信号を受信し、前記サービス・プロバイダが起動状態にあるとき、前記サービス・プロバイダは前記プラットホームの連続的監視を通じて前記プラットホームから前記イベント信号を獲得すると共に、前記サービス・プロバイダが非起動状態にあるとき、前記プラットホームが前記音声通話開始試行状態と音声通話終了状態とのうちの少なくとも一方に対応するイベント信号を前記サービス・プロバイダへ送信するならば、前記サービス・プロバイダは起動状態へ切り換えられて前記イベント信号を獲得し、かつ、前記ターミナル・デバイスの前記現在の状態を検出することを実行するように構成されたコマンドを含むコンピュータ可読記録媒体。
【請求項１６】
コンピュータ可読記録媒体であって、
ターミナル・デバイスの現在の状態により生成されたイベント信号を検出し、
前記イベント信号を通じて音声通話終了試行状態と音声通話終了状態とのうちの少なくとも一方を特定し、
前記音声通話終了試行状態と前記音声通話終了状態とのうちの少なくとも一方の前記特定により、音声通話の発信者識別情報又は終端者識別情報に対応する予め登録された付加的なコンテンツを提供し、
音声通話終了試行状態の後に、音声通話接続状態が前記イベント信号を通じて検出されたとき、前記サービス・プロバイダにより、付加的なコンテンツの提供を停止し、
前記イベント信号の前記生成において、前記ターミナル・オペレータは前記イベント信号をプラットホームへ送信し、
前記現在の状態の検出において、前記サービス・プロバイダは前記プラットホームから前記イベント信号を受信し、前記サービス・プロバイダが起動状態にあるとき、前記サービス・プロバイダは前記プラットホームの連続的監視を通じて前記プラットホームから前記イベント信号を獲得すると共に、前記サービス・プロバイダが非起動状態にあるとき、前記プラットホームが前記音声通話開始試行状態と音声通話終了状態とのうちの少なくとも一方に対応するイベント信号を前記サービス・プロバイダへ送信するならば、前記サービス・プロバイダは起動状態へ切り換えられて前記イベント信号を獲得し、かつ、前記ターミナル・デバイスの前記現在の状態を検出することを実行するように構成されたコマンドを含むコンピュータ可読記録媒体。
【国際調査報告】
2014533456.tif 000013
2014533456.tif 000014
2014533456.tif 000015
2014533456.tif 000016